(57)【特許請求の範囲】
【請求項１】
ワイヤレス通信のための方法であって、
少なくとも１つのリソースエレメントに共有データチャネルをマッピングするかどうか決定することと、ここで、前記マッピングする決定は、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記マッピングする決定に基づいて前記共有データチャネルを送信することと、
前記少なくとも１つのリソースエレメントにおける基準信号（ＲＳ）を送信することと、ここで、前記ＲＳは、全周波数帯域にわたり、前記共有データチャネルは、パンクチャされる、
前記パンクチャされた前記共有データチャネルを有するサブフレーム上に、低レートのレガシーワイヤレス技術のために構成されたユーザ機器をスケジュールすることと
を備える方法。
【請求項２】
前記共有データチャネルは、物理ダウンリンク共有チャネル（ＰＤＳＣＨ）であり、
前記方法は、前記ＰＤＳＣＨが前記高度ワイヤレス技術のために構成されたユーザ機器（ＵＥ）のためである場合、前記少なくとも１つのリソースエレメントに前記ＰＤＳＣＨをマッピングしないことをさらに備える、
請求項１に記載の方法。
【請求項３】
前記共有データチャネルは、物理ダウンリンク共有チャネル（ＰＤＳＣＨ）であり、
前記方法は、前記ＰＤＳＣＨが前記レガシーワイヤレス技術のために構成されたユーザ機器（ＵＥ）のためである場合、前記少なくとも１つのリソースエレメントに前記ＰＤＳＣＨをマッピングすることをさらに備え、
前記少なくとも１つのリソースエレメントは、前記ＲＳを搬送する、
請求項１に記載の方法。
【請求項４】
前記共有データチャネルの送信電力を増加することと、
前記ＵＥのレート制御を変更することと、
前記マッピングする決定に基づいて前記ＵＥをスケジューリングすることと、
前記ＲＳのデューティサイクルを低減することと
のうちの少なくとも１つによって前記レガシーワイヤレス技術のために構成されたユーザ機器（ＵＥ）のパフォーマンスロスを軽減することをさらに備える、
請求項１に記載の方法。
【請求項５】
前記ＲＳのために使用される前記少なくとも１つのリソースエレメントとオーバーラップしない１つまたは複数のリソースエレメントに前記共有データチャネルをマッピングすることをさらに備える、
請求項１に記載の方法。
【請求項６】
ワイヤレス通信のための装置であって、
少なくとも１つのリソースエレメントに共有データチャネルをマッピングするかどうか決定するための手段と、ここで、前記マッピングする決定は、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記マッピングする決定に基づいて前記共有データチャネルを送信するための手段と、
前記少なくとも１つのリソースエレメントにおける基準信号（ＲＳ）を送信するための手段と、ここで、前記ＲＳは、全周波数帯域にわたり、前記共有データチャネルは、パンクチャされる、
前記パンクチャされた前記共有データチャネルを有するサブフレーム上に、低レートのレガシーワイヤレス技術のために構成されたユーザ機器をスケジュールするための手段と
を備える装置。
【請求項７】
前記共有データチャネルは、物理ダウンリンク共有チャネル（ＰＤＳＣＨ）であり、
前記ＰＤＳＣＨが前記高度ワイヤレス技術のために構成されたユーザ機器（ＵＥ）のためである場合、前記ＰＤＳＣＨは、前記少なくとも１つのリソースエレメントにマッピングされない、
請求項６に記載の装置。
【請求項８】
前記共有データチャネルは、物理ダウンリンク共有チャネル（ＰＤＳＣＨ）であり、
前記ＰＤＳＣＨが前記レガシーワイヤレス技術のために構成されたユーザ機器（ＵＥ）のためである場合、前記ＰＤＳＣＨは、前記少なくとも１つのリソースエレメントにマッピングされ、
前記少なくとも１つのリソースエレメントは、前記ＲＳを搬送する、
請求項６に記載の装置。
【請求項９】
前記共有データチャネルの送信電力を増加するための手段と、
前記ＵＥのレート制御を変更するための手段と、
前記マッピングする決定に基づいて前記ＵＥをスケジューリングするための手段と、
前記ＲＳのデューティサイクルを低減するための手段と
のうちの少なくとも１つによって前記レガシーワイヤレス技術のために構成されたユーザ機器（ＵＥ）のパフォーマンスロスを軽減するための手段をさらに備える、
請求項６に記載の装置。
【請求項１０】
前記ＲＳのために使用される前記少なくとも１つのリソースエレメントとオーバーラップしない１つまたは複数のリソースエレメントに前記共有データチャネルをマッピングするための手段をさらに備える、
請求項６に記載の装置。
【請求項１１】
ワイヤレス通信のための装置であって、
少なくとも１つのリソースエレメントに共有データチャネルをマッピングするかどうか決定し、ここで、前記マッピングする決定は、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記マッピングする決定に基づいて前記共有データチャネルを送信し、
前記少なくとも１つのリソースエレメントにおける基準信号（ＲＳ）を送信し、ここで、前記ＲＳは、全周波数帯域にわたり、前記共有データチャネルは、パンクチャされる、
前記パンクチャされた前記共有データチャネルを有するサブフレーム上に、低レートのレガシーワイヤレス技術のために構成されたユーザ機器をスケジュールする
ように構成された少なくとも１つのプロセッサと、
前記少なくとも１つのプロセッサに接続されたメモリと
を備える装置。
【請求項１２】
前記共有データチャネルは、物理ダウンリンク共有チャネル（ＰＤＳＣＨ）であり、
前記少なくとも１つのプロセッサは、前記ＰＤＳＣＨが前記高度ワイヤレス技術のために構成されたユーザ機器（ＵＥ）のためである場合、前記少なくとも１つのリソースエレメントに前記ＰＤＳＣＨをマッピングしないようにさらに構成される、
請求項１１に記載の装置。
【請求項１３】
前記共有データチャネルは、物理ダウンリンク共有チャネル（ＰＤＳＣＨ）であり、
前記少なくとも１つのプロセッサは、前記ＰＤＳＣＨが前記レガシーワイヤレス技術のために構成されたユーザ機器（ＵＥ）のためである場合、前記少なくとも１つのリソースエレメントに前記ＰＤＳＣＨをマッピングするようにさらに構成される、
前記少なくとも１つのリソースエレメントは、前記ＲＳを搬送する、
請求項１１に記載の装置。
【請求項１４】
前記少なくとも１つのプロセッサは、
前記共有データチャネルの送信電力を増加することと、
前記ＵＥのレート制御を変更することと、
前記マッピングする決定に基づいて前記ＵＥをスケジューリングすることと、
前記ＲＳのデューティサイクルを低減することと
のうちの少なくとも１つによって前記レガシーワイヤレス技術のために構成されたユーザ機器（ＵＥ）のパフォーマンスロスを軽減するようにさらに構成される、
請求項１１に記載の装置。
【請求項１５】
前記少なくとも１つのプロセッサは、前記ＲＳのために使用される前記少なくとも１つのリソースエレメントとオーバーラップしない１つまたは複数のリソースエレメントに前記共有データチャネルをマッピングするようにさらに構成される、
請求項１１に記載の装置。
【請求項１６】
少なくとも１つのコンピュータに、少なくとも１つのリソースエレメントに共有データチャネルをマッピングするかどうか決定させるためのコードと、ここで、前記マッピングする決定は、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記少なくとも１つのコンピュータに、前記マッピングする決定に基づいて前記共有データチャネルを送信させるためのコードと、
前記少なくとも１つのコンピュータに、前記少なくとも１つのリソースエレメントにおける基準信号（ＲＳ）を送信させるためのコードと、ここで、前記ＲＳは、全周波数帯域にわたり、前記共有データチャネルは、パンクチャされる、
前記少なくとも１つのコンピュータに、前記パンクチャされた前記共有データチャネルを有するサブフレーム上に、低レートのレガシーワイヤレス技術のために構成されたユーザ機器をスケジュールさせるためのコードと
を備えるコンピュータプログラム。
【請求項１７】
前記共有データチャネルは、物理ダウンリンク共有チャネル（ＰＤＳＣＨ）であり、
前記ＰＤＳＣＨが前記高度ワイヤレス技術のために構成されたユーザ機器（ＵＥ）のためである場合、前記ＰＤＳＣＨは、前記少なくとも１つのリソースエレメントにマッピングされない、
請求項１６に記載のコンピュータプログラム。
【請求項１８】
前記共有データチャネルは、物理ダウンリンク共有チャネル（ＰＤＳＣＨ）であり、
前記ＰＤＳＣＨが前記レガシーワイヤレス技術のために構成されたユーザ機器（ＵＥ）のためである場合、前記ＰＤＳＣＨは、前記少なくとも１つのリソースエレメントにマッピングされ、
前記少なくとも１つのリソースエレメントは、前記ＲＳを搬送する、
請求項１６に記載のコンピュータプログラム。
【請求項１９】
前記少なくとも１つのコンピュータに、前記ＲＳのために使用される前記少なくとも１つのリソースエレメントとオーバーラップしない１つまたは複数のリソースエレメントに前記共有データチャネルをマッピングさせることをさらに含む、
請求項１６に記載のコンピュータプログラム。
【請求項２０】
ワイヤレス通信のための方法であって、
共有データチャネルを受信することと、ここで、少なくとも１つのリソースエレメントへの前記共有データチャネルのマッピングは、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記少なくとも１つのリソースエレメントにおける基準信号（ＲＳ）を受信することと、ここで、前記ＲＳは、全周波数帯域にわたり、前記共有データチャネルは、パンクチャされる、
前記パンクチャされた前記共有データチャネルを有するサブフレーム上に、低レートのレガシーワイヤレス技術のために構成されたユーザ機器をスケジュールすることと
を備える方法。
【請求項２１】
前記共有データチャネルは、物理ダウンリンク共有チャネル（ＰＤＳＣＨ）であり、
前記ＰＤＳＣＨが前記高度ワイヤレス技術のために構成されたユーザ機器（ＵＥ）のためである場合、前記ＰＤＳＣＨは、前記少なくとも１つのリソースエレメントにマッピングされない、
請求項２０に記載の方法。
【請求項２２】
前記共有データチャネルは、物理ダウンリンク共有チャネル（ＰＤＳＣＨ）であり、
前記ＰＤＳＣＨが前記レガシーワイヤレス技術のために構成されたユーザ機器（ＵＥ）のためである場合、前記ＰＤＳＣＨは、前記少なくとも１つのリソースエレメントにマッピングされ、
前記少なくとも１つのリソースエレメントは、前記ＲＳを搬送する、
請求項２０に記載の方法。
【請求項２３】
前記共有データチャネルは、前記ＲＳのために使用される前記少なくとも１つのリソースエレメントとオーバーラップしない１つまたは複数のリソースエレメントにマッピングされる、
請求項２０に記載の方法。
【請求項２４】
ワイヤレス通信のための装置であって、
共有データチャネルを受信するための手段と、ここで、少なくとも１つのリソースエレメントへの前記共有データチャネルのマッピングは、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記少なくとも１つのリソースエレメントにおける基準信号（ＲＳ）を受信するための手段と、ここで、前記ＲＳは、全周波数帯域にわたり、前記共有データチャネルは、パンクチャされる、
前記パンクチャされた前記共有データチャネルを有するサブフレーム上に、低レートのレガシーワイヤレス技術のために構成されたユーザ機器をスケジュールするための手段と
を備える装置。
【請求項２５】
前記共有データチャネルは、物理ダウンリンク共有チャネル（ＰＤＳＣＨ）であり、
前記ＰＤＳＣＨが前記高度ワイヤレス技術のために構成されたユーザ機器（ＵＥ）のためである場合、前記ＰＤＳＣＨは、前記少なくとも１つのリソースエレメントにマッピングされない、
請求項２４に記載の装置。
【請求項２６】
前記共有データチャネルは、物理ダウンリンク共有チャネル（ＰＤＳＣＨ）であり、
前記ＰＤＳＣＨが前記レガシーワイヤレス技術のために構成されたユーザ機器（ＵＥ）のためである場合、前記ＰＤＳＣＨは、前記少なくとも１つのリソースエレメントにマッピングされ、
前記少なくとも１つのリソースエレメントは、前記ＲＳを搬送する、
請求項２４に記載の装置。
【請求項２７】
ワイヤレス通信のための装置であって、
共有データチャネルを受信し、ここで、少なくとも１つのリソースエレメントへの前記共有データチャネルのマッピングは、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記少なくとも１つのリソースエレメントにおける基準信号（ＲＳ）を受信し、ここで、前記ＲＳは、全周波数帯域にわたり、前記共有データチャネルは、パンクチャされる、
前記パンクチャされた前記共有データチャネルを有するサブフレーム上に、低レートのレガシーワイヤレス技術のために構成されたユーザ機器をスケジュールする
ように構成された少なくとも１つのプロセッサと、
前記少なくとも１つのプロセッサに接続されたメモリと
を備える装置。
【請求項２８】
前記共有データチャネルは、物理ダウンリンク共有チャネル（ＰＤＳＣＨ）であり、
前記ＰＤＳＣＨが前記高度ワイヤレス技術のために構成されたユーザ機器（ＵＥ）のためである場合、前記ＰＤＳＣＨは、前記少なくとも１つのリソースエレメントに前記ＰＤＳＣＨをマッピングされない、
請求項２７に記載の装置。
【請求項２９】
前記共有データチャネルは、物理ダウンリンク共有チャネル（ＰＤＳＣＨ）であり、
前記ＰＤＳＣＨが前記レガシーワイヤレス技術のために構成されたユーザ機器（ＵＥ）のためである場合、前記ＰＤＳＣＨは、前記少なくとも１つのリソースエレメントに前記ＰＤＳＣＨをマッピングされ、
前記少なくとも１つのリソースエレメントは、前記ＲＳを搬送する、
請求項２７に記載の装置。
【請求項３０】
前記共有データチャネルは、前記ＲＳのために使用される前記少なくとも１つのリソースエレメントとオーバーラップしない１つまたは複数のリソースエレメントにマッピングされる、
請求項２７に記載の装置。
【請求項３１】
少なくとも１つのコンピュータに、共有データチャネルを受信させるためのコードと、ここで、少なくとも１つのリソースエレメントへの前記共有データチャネルのマッピングは、前記共有データチャネルがレガシーワイヤレス技術および高度ワイヤレス技術のうちの１つに関連するかどうかに基づき、前記レガシーワイヤレス技術は、ロングタームエボリューション（ＬＴＥ）を含み、高度ワイヤレス技術は、ＬＴＥ−アドバンスド（ＬＴＥ−Ａ）を含む、
前記少なくとも１つのコンピュータに、前記少なくとも１つのリソースエレメントにおける基準信号（ＲＳ）を受信させるためのコードと、ここで、前記ＲＳは、全周波数帯域にわたり、前記共有データチャネルは、パンクチャされる、
前記少なくとも１つのコンピュータに、前記パンクチャされた前記共有データチャネルを有するサブフレーム上に、低レートのレガシーワイヤレス技術のために構成されたユーザ機器をスケジュールさせるためのコードと
を備えるコンピュータプログラム。
【請求項３２】
前記共有データチャネルは、物理ダウンリンク共有チャネル（ＰＤＳＣＨ）であり、
前記ＰＤＳＣＨが前記高度ワイヤレス技術のために構成されたユーザ機器（ＵＥ）のためである場合、前記ＰＤＳＣＨは、前記少なくとも１つのリソースエレメントにマッピングされない、
請求項３１に記載のコンピュータプログラム。
【請求項３３】
前記共有データチャネルは、物理ダウンリンク共有チャネル（ＰＤＳＣＨ）であり、
前記ＰＤＳＣＨが前記レガシーワイヤレス技術のために構成されたユーザ機器（ＵＥ）のためである場合、前記ＰＤＳＣＨは、前記少なくとも１つのリソースエレメントにマッピングされ、
前記少なくとも１つのリソースエレメントは、前記ＲＳを搬送する、
請求項３１に記載のコンピュータプログラム。
【請求項３４】
前記共有データチャネルは、前記ＲＳのために使用される前記少なくとも１つのリソースエレメントとオーバーラップしない１つまたは複数のリソースエレメントにマッピングされる、
請求項３１に記載のコンピュータプログラム。
【発明の詳細な説明】
【関連出願】
【０００１】
米国特許法第１１９条に基づく優先権の主張
本特許出願は、本出願の譲受人に譲渡され、参照により本明細書に明確に組み込まれる、２００８年８月２８日に出願された「RESERVING RESOURCES FOR TRANSMITTAL OF LTE-A RELATED INFORMATION」と題する米国仮出願第６１／０９２，４５６号の優先権を主張する。
【技術分野】
【０００２】
以下は、一般にワイヤレス通信に関し、より詳細には、一般的な地上波無線アクセスネットワークを介して複数のワイヤレスアクセス技術を可能にすることに関する。
【背景技術】
【０００３】
ワイヤレス通信システムは、様々なタイプの通信を提供するために広く展開されており、たとえば、ボイス、データなどをそのようなワイヤレス通信システムによって提供することができる。典型的なワイヤレス通信システムまたはネットワークは、１つまたは複数の共有リソース（たとえば、帯域幅、送信電力、．．．）へのアクセスを複数のユーザに提供することができる。たとえば、システムは、周波数分割多重（ＦＤＭ）、時分割多重（ＴＤＭ）、符号分割多重（ＣＤＭ）、直交周波数分割多重（ＯＦＤＭ）などの様々な多元接続技法を使用することができる。
【０００４】
一般に、ワイヤレス多元接続通信システムは、複数のアクセス端末のための通信を同時にサポートすることができる。各アクセス端末は、順方向リンクおよび逆方向リンク上での送信を通して１つまたは複数の基地局と通信することができる。順方向リンク（またはダウンリンク）とは、基地局からアクセス端末への通信リンクを指し、逆方向リンク（またはアップリンク）とは、アクセス端末から基地局への通信リンクを指す。この通信リンクは、単一入力単一出力、多入力単一出力、または多入力多出力（ＭＩＭＯ）システムを通して確立できる。
【０００５】
ワイヤレス通信システムは、各基地局がカバレージエリアを与える１つまたは複数の基地局を時々用いる。典型的な基地局は、ブロードキャスト、マルチキャスト、および／またはユニキャストサービスのための複数のデータストリームを送信することができ、データストリームは、アクセス端末の独立した受信対象となるデータのストリームとすることができる。そのような基地局のカバレージエリア内のアクセス端末を用いて、複合ストリームによって搬送される１つ、２つ以上、またはすべてのデータストリームを受信することができる。同様に、アクセス端末は、データを基地局または別のアクセス端末に送信することができる。
【０００６】
現在、Ｌｏｎｇ  Ｔｅｒｍ  Ｅｖｏｌｕｔｉｏｎ（ＬＴＥ）Ａｄｖａｎｃｅｄシステムについて、マルチユーザＭＩＭＯ、（８個の送信および受信アンテナをもつ）高次ＭＩＭＯ、ネットワークＭＩＭＯ、関連付けが制限されたフェムトセル、範囲拡張をもつピコセル、より大きい帯域幅などのような、いくつかの高度化が検討されている。ＬＴＥ  Ａｄｖａｎｃｅｄは、新しいＵＥ（および可能な場合はレガシーＵＥ）に追加の特徴を提供しながら、レガシーＵＥ（たとえば、ＬＴＥ  Ｒｅｌｅａｓｅ  ８  ＵＥ）をサポートしなければならない。しかしながら、ＬＴＥのすべての特徴をサポートすることはＬＴＥ  Ａｄｖａｎｃｅｄ設計に対していくつかの制約を課すので、潜在的な利得を制限し、ユーザエクスペリエンスに影響を及ぼすことがある。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を特定するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
１つまたは複数の実施形態およびその対応する開示に従って、（たとえば、ＬＴＥなどの既存のアクセス技術に適合する）レガシーユーザ端末への悪影響を緩和しながら、（たとえば、ＬＴＥ−Ａなどの新生のアクセス技術のために構成された、またはそれに適合する）新しいユーザ端末に情報を搬送するために周波数時間ブロックワイヤレスリソースを予約することに関して、様々な態様について説明する。新生のアクセス技術端末に指定された情報は、ＰＨＩＣＨリソースグループのサブセット、所定の数の制御チャネル要素、制御セグメント中のリソース要素のサブセットまたはリソース要素グループ、ＰＤＳＣＨ領域中のいくつかのリソース、ＭＢＳＦＮサブフレーム中の１つまたは複数のリソース、時分割複信（ＴＤＤ）ワイヤレスシステム中のフレーム構造タイプ２の特殊サブフレーム中のリソースのサブセット、および／またはそれらの組合せなど、所定の予約されたロケーション中に埋め込むことができる。
【０００９】
一態様では、（１つまたは複数の）予約された時間周波数リソースは、（たとえば、高次ＭＩＭＯまたはネットワークＭＩＭＯ適用例のための追加のアンテナポートのための）制御信号または基準信号などのＬＴＥ−Ａ信号を送信するために用いることができる。関係する方法によれば、最初に、ＬＴＥ−Ａ対応ユーザ端末（たとえば、ＬＴＥまたはＬＴＥ−Ａアクセス技術のために構成されたユーザ端末）への情報の送信のために予約すべきリソースについての判断を行う。そのような決定は、ＬＴＥ−Ａユーザ端末の数、ＬＴＥ−Ａユーザ端末に送信すべき制御情報の量、使用すべき制御リソースなどの係数に基づくことができる。次に、そのようなリソースを予約し、その後、必要な情報を新しいユーザ端末に送信することができる。
【００１０】
特定の態様によれば、ＬＴＥ−Ａユーザ端末のために予約されるリソースは、ＬＴＥ制御またはデータトラフィックと競合しないように選択することができる。ＬＴＥユーザ端末は、この例では、ＬＴＥ−Ａ制御または基準信号を他の端末向けのトラフィックとして無視することになる。ＬＴＥ−ＡリソースがＬＴＥリソースと競合する場合、ＬＴＥリソースに対するパフォーマンスロスを低減するために緩和プロシージャを用いることができる。好適な緩和プロシージャは、ＬＴＥ−Ａリソースのデューティサイクルを変更すること、それぞれのＬＴＥまたはＬＴＥ−Ａ信号送信の信号電力またはレート制御を変更すること、リソーススケジューリングを修正することなど、あるいはそれらの組合せを備えることができる。したがって、ＬＴＥ−Ａリソース割当てがＬＴＥリソースをパンクチャする場合でも、レガシーユーザ端末に関連するパフォーマンスロスを緩和または回避することができる。
【００１１】
本開示の別の態様は、ワイヤレスネットワークにおいてワイヤレスアクセス技術を統合するための方法に関する。本方法は、ワイヤレスネットワークのワイヤレスリソースのためのワイヤレスリソーススケジュールを取得するためにデータインターフェースを用いることと、ワイヤレスリソーススケジュールを分析し、ベースラインワイヤレスアクセス技術によって用いられるワイヤレス信号リソースを識別するためにデータプロセッサを用いることとを備えることができる。さらに、本方法は、第２のワイヤレスアクセス技術の制御または基準信号のためにワイヤレスネットワークのワイヤレスリソースのサブセットを予約するためにデータプロセッサを用いることと、第２のワイヤレスアクセス技術のために構成されたアクセス端末に制御または基準信号のためのリソーススケジューリングを送信するためにワイヤレス送信機を用いることとを備えることができる。
【００１２】
他の態様では、本開示は、ワイヤレスアクセス技術を統合するための装置に関する。本装置は、レガシーワイヤレスアクセス技術のために構成されたアクセス端末と高度ワイヤレスアクセス技術のために構成されたアクセス端末とへのワイヤレスアクセスを提供するために構成されたモジュールのセットを記憶するためのメモリを備えることができる。さらに、本装置は、モジュールのセットを実行するためのデータプロセッサを備えることができる。詳細には、モジュールのセットは、レガシーワイヤレスアクセス技術のためにスケジュールされたワイヤレスリソースを識別するためにワイヤレスネットワークリソーススケジューリングを分析する信号解析モジュールと、パフォーマンスロス緩和ポリシーに従って高度ワイヤレスアクセス技術のための制御または基準信号（ＲＳ）リソースを割り当てる選択モジュールとを備えることができる。このロス緩和ポリシーは、レガシーワイヤレスアクセス技術のためのリソーススケジューリングと競合しない制御またはＲＳリソースを指定するか、またはリソーススケジューリングと競合する制御またはＲＳリソースのための調停プロシージャの実装を指定する。
【００１３】
本開示の別の態様は、複数のワイヤレスアクセス技術のためのワイヤレス通信を可能にする装置に関する。本装置は、ワイヤレスネットワークのワイヤレスリソースのためのワイヤレスリソーススケジュールを取得するためにデータインターフェースを用いるための手段と、ワイヤレスリソーススケジュールからベースラインワイヤレスアクセス技術によって用いられるワイヤレス信号リソースを識別するためにデータプロセッサを用いるための手段とを備えることができる。さらに、本装置は、第２のワイヤレスアクセス技術の制御または基準信号のためにワイヤレスネットワークのワイヤレスリソースのサブセットを予約するためにデータプロセッサを用いるための手段を備えることができる。さらに、本装置は、第２のワイヤレスアクセス技術のために構成されたアクセス端末に制御または基準信号のためのリソーススケジューリングを送信するためにワイヤレス送信機を用いるための手段を備えることができる。
【００１４】
さらに別の態様は、複数のワイヤレスアクセス技術のためのワイヤレス通信を可能にするように構成された（１つまたは複数の）プロセッサに関する。（１つまたは複数の）プロセッサは、ベースラインワイヤレスアクセス技術によって用いられるワイヤレスネットワークのワイヤレス信号リソースを識別する第１のモジュールを備えることができる。（１つまたは複数の）プロセッサはまた、第２のワイヤレスアクセス技術の制御または基準信号のためにワイヤレス信号リソースのサブセットを予約する第２のモジュールを備えることができる。さらに、（１つまたは複数の）プロセッサは、第２のワイヤレスアクセス技術のために構成されたアクセス端末に制御または基準信号のためのリソーススケジューリングを送信する第３のモジュールを備えることができる。
【００１５】
さらに他の態様は、コンピュータ可読媒体を備えるコンピュータプログラム製品に関する。コンピュータ可読媒体は、コンピュータに、ベースラインワイヤレスアクセス技術によって用いられるワイヤレスネットワークのワイヤレス信号リソースを識別させるためのコードの第１のセットと、コンピュータに、第２のワイヤレスアクセス技術の制御または基準信号のためにワイヤレス信号リソースのサブセットを予約させるためのコードの第２のセットとを備えることができる。さらに、コンピュータ可読媒体は、コンピュータに、第２のワイヤレスアクセス技術のために構成されたアクセス端末に制御または基準信号のためのリソーススケジューリングを送信させるためのコードの第３のセットを備えることができる。
【００１６】
本明細書で開示する他の態様によれば、ユーザ端末は、ワイヤレス基地局とインターフェースするとき、ＬＴＥおよびＬＴＥ−Ａアクセス技術など、複数のタイプのワイヤレスアクセス技術を用いるように構成することができる。そのような端末は、ベースラインアクセス技術によって用いられる既存のアクセスプロトコルを認識することができるが、サポートされている場合は、高度アクセス技術によって用いられる補足プロトコルを認識することもできる。端末は、ワイヤレスパフォーマンスを最適化するために、ダウンリンク送信を復号する際に、またはアップリンクチャネル上で送信する間に補足プロトコルを利用することができる。
【００１７】
１つのそのような態様は、ワイヤレス通信の方法に関する。本方法は、第１のワイヤレスアクセス技術に向けられたリソーススケジューリングポリシーを受信するためにワイヤレス受信機を用いることと、第２のワイヤレスアクセス技術に向けられた補足リソーススケジューリングポリシーを取得することとを備えることができる。さらに、本方法は、補足リソーススケジューリングポリシーを分析し、補足リソーススケジューリングによって指定された第２のワイヤレスアクセス技術のための制御またはＲＳ送信を復号するためにデータプロセッサを用いることを備えることができる。
【００１８】
別の態様は、Ｌｏｎｇ  Ｔｅｒｍ  Ｅｖｏｌｕｔｉｏｎ（ＬＴＥ）アクセス技術とＡｄｖａｎｃｅｄ  Ｌｏｎｇ  Ｔｅｒｍ  Ｅｖｏｌｕｔｉｏｎ（ＬＴＥ−Ａ）アクセス技術とをサポートするワイヤレスネットワークにおいてＬＴＥ−Ａアクセス技術を用いる装置に関する。本装置は、ＬＴＥアクセス技術のためのスケジューリングポリシーを取得して、復号するワイヤレス受信機を備えることができる。さらに、本装置は、ワイヤレスネットワークのＬＴＥ−Ａアクセス技術を用いるために構成されたモジュールのセットを記憶するメモリと、モジュールのセットを実行するためのデータプロセッサとを備えることができる。詳細には、モジュールのセットは、ワイヤレスネットワークによって提供されたスケジューリングメッセージからＬＴＥ−Ａスケジューリングポリシーを抽出する解析モジュールと、ＬＴＥ−Ａスケジューリングポリシーを調査し、本装置に関係するＬＴＥ−Ａトラフィックのためのリソーススケジューリングを識別する分析モジュールとを含む。
【００１９】
さらに別の態様は、ワイヤレス通信のために構成された装置に関する。本装置は、第１のワイヤレスアクセス技術に向けられたリソーススケジューリングポリシーを受信するためにワイヤレス受信機を用いるための手段を備えることができる。さらに、本装置は、第２のワイヤレスアクセス技術に向けられた補足リソーススケジューリングポリシーを取得するための手段を備えることができる。さらに、本装置は、補足リソーススケジューリングポリシーを分析し、補足リソーススケジューリングによって指定された第２のワイヤレスアクセス技術のための制御またはＲＳ送信を復号するためにデータプロセッサを用いるための手段を備えることができる。
【００２０】
本開示の別の態様は、ワイヤレス通信のために構成された少なくとも１つのプロセッサに関する。（１つまたは複数の）プロセッサは、第１のワイヤレスアクセス技術に向けられたリソーススケジューリングポリシーを受信する第１のモジュールと、第２のワイヤレスアクセス技術に向けられた補足リソーススケジューリングポリシーを取得する第２のモジュールとを備えることができる。（１つまたは複数の）プロセッサはまた、補足リソーススケジューリングポリシーを分析し、補足リソーススケジューリングによって指定された第２のワイヤレスアクセス技術のための制御またはＲＳ送信を復号する第３のモジュールを備えることができる。
【００２１】
さらに他の態様は、コンピュータ可読媒体を備えるコンピュータプログラム製品に関する。コンピュータ可読媒体は、コンピュータに、第１のワイヤレスアクセス技術に向けられたリソーススケジューリングポリシーを受信させるためのコードの第１のセットを含むことができる。さらに、コンピュータ可読媒体は、コンピュータに、第２のワイヤレスアクセス技術に向けられた補足リソーススケジューリングポリシーを取得させるためのコードの第２のセットを含むことができる。さらに、コンピュータ可読媒体は、コンピュータに、補足リソーススケジューリングポリシーを分析させ、補足リソーススケジューリングによって指定された第２のワイヤレスアクセス技術のための制御またはＲＳ送信を復号させるためのコードの第３のセットを含むことができる。
【００２２】
上記および関連する目的を達成するために、１つまたは複数の態様は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を用いることができる様々な方法のほんのいくつかを示すものであり、説明する実施形態は、すべてのそのような態様およびそれらの均等物を含むものとする。
【図面の簡単な説明】
【００２３】
【図１】ネットワーク基地局のための複数のワイヤレスアクセス技術をサポートする例示的な装置のブロック図。
【図２】一態様による複数のワイヤレスアクセス技術を可能にする１つの例示的な時間周波数リソーススケジューリングを示す図。
【図３】さらなる態様による複数のワイヤレスアクセス技術を可能にする例示的な時間周波数リソーススケジューリングを示す図。
【図４】さらに別の態様による複数のワイヤレスアクセス技術を可能にする例示的な時間周波数リソーススケジューリングを示す図。
【図５】複数のアクセス技術のための動的および適応的リソーススケジューリングを提供するサンプルシステムのブロック図。
【図６】複数のワイヤレスアクセス技術をサポートするように構成された基地局を備える例示的なシステムのブロック図。
【図７】ワイヤレス通信において複数のアクセス技術を用いることができるユーザ端末（ＵＴ）を備える例示的なシステムのブロック図。
【図８】ワイヤレス通信環境において複数のアクセス技術をサポートするための例示的な方法のフローチャート。
【図９】ＬＴＥおよびＬＴＥ−Ａ端末をサポートする際に適応的リソーススケジューリングを提供するための例示的な方法のフローチャート。
【図１０】レガシー端末をサポートする環境において高度ワイヤレスアクセス技術を用いるための例示的な方法のフローチャート。
【図１１】複数のワイヤレスアクセス技術を提供するための例示的なシステムのブロック図。
【図１２】複数のワイヤレスアクセス技術を可能にするための例示的なシステムのブロック図。
【図１３】特定の態様によるワイヤレス通信を可能にする例示的なワイヤレス送信受信チェーンのブロック図。
【図１４】様々な他の開示する態様をサポートする際に用いられることができる例示的なセルラー通信環境のブロック図。
【図１５】少なくとも１つの他の開示する態様による例示的なワイヤレス通信環境のブロック図。
【発明を実施するための形態】
【００２４】
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの特定の詳細なしに実施できることは明らかであろう。他の例では、１つまたは複数の態様の説明を円滑にするために、よく知られた構造およびデバイスをブロック図の形態で示す。
【００２５】
さらに、本明細書の教示は多種多様な形で実施でき、本明細書で開示する特定の構造および／または機能は代表的なものにすぎないことは明らかであろう。本明細書の教示に基づいて、本明細書で開示する態様は他の態様とは無関係に実現できること、およびこれらの態様のうちの２つ以上を様々な方法で組み合わせることができることを、当業者なら諒解されよう。たとえば、本明細書に記載の態様をいくつ使用しても、装置を実現し、および／または方法を実施することができる。さらに、本明細書に記載の態様のうちの１つまたは複数に加えて、あるいはそれら以外に、他の構造および／または機能を使用して装置を実現し、および／または方法を実施することができる。一例として、本明細書で説明する方法、デバイス、システムおよび装置の多くについて、一般的なワイヤレス通信環境において様々なワイヤレスアクセス技術のために構成されたユーザ端末をサポートするコンテキストで説明する。同様の技法が他の通信環境に適用できることを、当業者なら諒解されよう。
【００２６】
ワイヤレス通信技術の進歩は近年多様化している。いくつかの進歩は、ハンドセット端末に影響を及ぼし、より大きい処理能力およびメモリ、より強力で多様なアプリケーション、複数のアンテナまたはアンテナタイプなどを可能にする。他の進歩は、アクセスネットワーク技術に影響を及ぼし、より高帯域幅の通信、より信頼できるデータレート、マルチユーザサポートなどを与える。これらの高度化のタイプや性質にかかわらず、追加の機能を利用するために新しいソフトウェアと通信プロトコルとがしばしば必要である。たとえば、基地局を複数の物理アンテナとともに設置し、信号処理の改善により、より低い干渉とダイバーシティ送信／受信とが可能になれば、大幅に改善されたデータレートを達成するために多入力多出力（ＭＩＭＯ）技術を用いることができる。しかしながら、ＭＩＭＯ技術を実装するために、たとえば、ＭＩＭＯ対応ユーザ端末（ＵＴ）に時間周波数リソースを割り振るために、新しいソフトウェアが必要になることがある。さらに、ソフトウェアは、ＭＩＭＯ対応ワイヤレス環境においてレガシーＵＴをサポートし続けるために、ＭＩＭＯ対応ＵＴとレガシー（非ＭＩＭＯ）ＵＴを区別することができる。
【００２７】
一般に、リソースを予約することは、レガシー端末が予約済みロケーションの影響を受けることなしに行われ、したがって、それらの関連するパフォーマンスは一般に妨害されない。言い換えれば、少なくとも１つの態様では、本発明は、ＯＦＤＭシンボルの集合の特定のロケーションにおいて情報を予想する際にレガシーユーザ端末の挙動を利用する。したがって、情報を異なるリソースロケーションにおいて他のユーザ端末に供給することができ、レガシー端末のパフォーマンス劣化を緩和しながら、これらの異なるリソースロケーション上での新しい規格またはプロトコルの実装が可能になる。したがって、本明細書で説明するワイヤレス通信装置は、同時に複数のワイヤレスアクセス技術に対応することができる。
【００２８】
上記の１つの特定の例として、レガシー端末がＴｈｉｒｄ  Ｇｅｎｅｒａｔｉｏｎ  Ｐａｒｔｎｅｒｓｈｉｐ  Ｐｒｏｊｅｃｔ（３ＧＰＰ）Ｌｏｎｇ  Ｔｅｒｍ  Ｅｖｏｌｕｔｉｏｎ（ＬＴＥ）アクセス技術（またはＬＴＥアクセス技術）のために構成され、新しい端末がＡｄｖａｎｃｅｄ  ＬＴＥ（またはＬＴＥ−Ａ）アクセス技術のために構成されている場合について考える。この場合、ＬＴＥ−Ａ  ＵＴに、新しいＳＩＢの送信、ＬＴＥ−Ａ端末によって監視できる新しい共通チャネル（たとえば、ＢＣＨ）を通してなど、複数の機構を通してＬＴＥ−Ａ  ＵＴのために予約された制御、基準信号（ＲＳ）またはトラフィックリソースを通知することができる。代替的にまたは追加として、特定のＬＴＥ−Ａ  ＵＴまたはそのようなＬＴＥ−Ａ  ＵＴのグループに、ユニキャスト送信によって予約されたリソースを通知することができる。
【００２９】
特定の態様によれば、予約されたリソースのために用いられるパターンは、周波数時間ブロックにわたって異なることができ、または適応的であり、経時変化することができる。そのようなパターンは、システム中のＬＴＥ−ＡおよびレガシーＵＴの数ならびにその要求に基づいて変更できる。また、パターンは、リソース上で搬送されている特定の信号にとって重要であると考えられる様々な基準に基づいて設計できる。
【００３０】
次に図面を参照すると、図１に、一般的なワイヤレスネットワーク（たとえば、地上波無線アクセスネットワーク）のための複数のワイヤレスアクセス技術を可能にする例示的なシステム１００のブロック図が示されている。システム１００は、システム（１００）によってサービスされるアクセス端末の能力に応じて、様々なアクセス技術に従ってワイヤレス通信を可能にすることができる。一例として、システム１００は、ベースラインワイヤレスアクセス技術のために構成されたレガシーアクセス端末のセットのためのベースラインワイヤレスアクセス技術を実装することと、高度ワイヤレスアクセス技術のために構成されたアクセス端末の第２のセットのための高度ワイヤレスアクセス技術を実装することとを行うために用いられることができる。特定の例として、システム１００は、ＬＴＥ−Ａ端末のセットにＬＴＥサービスを提供し、ＬＴＥ−Ａ端末のためにＬＴＥ−Ａ通信のためのリソースを予約することができる。一般に、ＬＴＥ−Ａは、ＬＴＥよりも高い帯域幅、データレート、アンテナダイバーシティなどを指定するので、ＬＴＥ−Ａアクセス用語とＬＴＥアクセス用語とは単一の無線アクセスネットワークにおいて混合しない。また、ＬＴＥ−Ａのためのリソースプロビジョニングは、ＬＴＥのためのリソースプロビジョニングに適合しないことがある。システム１００は、以下でより詳細に説明するように、これらの問題の多くを緩和し、単一の無線アクセスネットワーク上でＬＴＥアクティビティとＬＴＥ−Ａアクティビティとを可能にすることができる。
【００３１】
システム１００は、基地局１０４と結合されたリソーススケジューリング装置１０２を備える。いくつかの態様では、リソーススケジューリング装置１０２と基地局１０４とは、単一の物理エンティティである。たとえば、リソーススケジューリング装置１０２は基地局１０４のハードウェアまたはソフトウェアコンポーネントとして設置できる。他の態様では、リソーススケジューリング装置１０２は、基地局１０４から物理的に離れて位置することができ、随意に中央サーバに位置し、いくつかの基地局（１０４）のために（たとえば、システムコントローラ１４３０の一部として（下の図１４を参照））動作することができる。
【００３２】
リソーススケジューリング装置１０２は、レガシーワイヤレスアクセス技術（たとえば、ＬＴＥ）のために構成されたアクセス端末（ＡＴ）と高度ワイヤレスアクセス技術（たとえば、ＬＴＥ−Ａ）のために構成されたＡＴとへのワイヤレスアクセスを提供するように構成されたモジュール１０８、１１０のセットを記憶するためのメモリ１１２を備える。さらに、リソーススケジューリング装置１０６は、モジュール１０８、１１０のセットを実行するためのデータプロセッサを備えることができる。信号解析モジュール１０８はレガシーワイヤレスアクセス技術のためのリソーススケジューリングを分析する。したがって、信号解析モジュール１０８は、ワイヤレス信号フレーム内のリソースブロックの配置または配向のためのマッピング、様々な制御チャネル、基準チャネル、またはトラフィックチャネルへの直交周波数分割多重（ＯＦＤＭ）シンボルのマッピングなどを識別するように構成できる。さらに、信号解析モジュール１０８は、レガシーワイヤレスアクセスシグナリングのために用いられていないブランクリソースを識別することができる。（１つまたは複数の）マッピングは、レガシーアクセス技術のためのリソーススケジュールファイル１０８Ａに出力し、リソース選択モジュール１１０に提供することができる。
【００３３】
リソース選択モジュール１１０は高度ワイヤレスアクセス技術のための制御またはＲＳリソースを割り当てる。割当ては一般にパフォーマンスロス緩和ポリシー１１２Ａに従って行われる。一般に、ポリシー１１２Ａは、レガシーアクセス技術と高度アクセス技術とに対するリソース競合を回避するように構成される。リソース競合が完全には回避されない場合、ポリシー１１２Ａは、競合に起因するパフォーマンスロスを緩和するために調停プロシージャ１１２Ｂを規定することができる。本明細書で利用するリソース競合という用語は、単一のリソースまたはリソースグループが同時に複数のアクセス技術に割り当てられる、直接競合（たとえば、ＬＴＥ機能およびＬＴＥ−Ａ機能のために割り当てられる単一のチャネル）、または１つのアクセス技術のためのリソース割当てが、異なるアクセス技術を用いるアクセス端末によって予想されるリソースの完全適用性を制限する、間接競合を含むことができる。リソースパンクチャリングとも呼ばれる後者の例として、ＬＴＥ−Ａ端末のために共有チャネルリソースグループ（ＲＧ）を予約することは、共有チャネルＲＧが現在ＬＴＥシグナリングに割り振られていない場合でも、共有チャネルリソースを用いるＬＴＥ端末のための最大データレートを抑制することができる。
【００３４】
高度ワイヤレスアクセス技術のためにリソースの様々なグループを割り当てるまたは予約することができる。リソースの選択は、レガシーワイヤレスアクセス技術のために用いられたリソーススケジュール１０８Ａに少なくとも部分的に依存する。たとえば、緩和ポリシー１１２Ａが、次いでレガシーアクセス技術のＡＴによって用いられない、高度アクセス技術のための（たとえば、単一の信号サブフレーム中のＯＦＤＭシンボルのグループにわたって周波数サブバンドのグループを備える（たとえば、下の図２〜図４を参照））リソースブロックのサブセットを予約することが好適であることがある。それらの予約リソースブロック内で、時間周波数リソースのサブセットは、高度アクセス技術のための制御信号、ＲＳ、またはデータトラフィックに割り振ることができる。このようにすると、レガシーワイヤレスアクセス技術と高度ワイヤレスアクセス技術との間のリソース競合の可能性が低くなる。他の態様では、レガシーアクセス技術によって用いられるリソースブロックは、多目的ブロックとして指定することができ、これらの多目的ブロックのいくつかの時間周波数リソースは、高度アクセス技術ＡＴに割り振ることができる。この後者の場合、間接リソース競合（または直接リソース競合）が発生する可能性がより高くなる。したがって、緩和ポリシー１１２Ａは、このタイプのリソース割当てのための調停プロシージャ１１２Ｂを規定することができる。
【００３５】
以下の説明では、様々な例示的な態様によるリソース選択および予約の特定の例について説明する。高度アクセス技術用途のために割り当てられた時間周波数リソースは、ワイヤレス信号の１つまたは複数のサブフレームの制御領域またはデータ領域中にあり得る。いくつかの態様では、予約された時間周波数リソースは、高度アクセス技術のために割り当てられたリソースブロック中にあるが、これはすべての場合において必要というわけではない。たとえば、予約されたリソースは、（基地局１０４によってサービスされるＡＴが使用できる）汎用リソースブロックに割り当てるか、または特定のＡＴまたは特定のタイプのＡＴのために予約されていない制御チャネルリソースに割り当てることができる。
【００３６】
本開示の一態様では、リソース選択モジュール１１０は、高度アクセス技術ＡＴのためのワイヤレスリソースとして基地局１０４の物理ハイブリッド自動再送要求（ＨＡＲＱ）インジケータチャネル（ＰＨＩＣＨ）リソースのサブセットを予約することができる。ＰＨＩＣＨリソースは、ＡＴのアップリンク送信に対応するＨＡＲＱ確認応答を送信するために使用される。この態様では、レガシーＡＴに対する潜在的なパフォーマンス影響が発生することがある。このパフォーマンス影響を相殺するために調停プロシージャ１１２Ｂを用いることができる。一態様では、調停プロシージャ１１２Ｂは、確認応答のためにレガシーワイヤレスアクセス技術（および場合によっては高度ワイヤレスアクセス技術）によって利用されるＰＨＩＣＨリソースグループに加えて、追加のＰＨＩＣＨリソースグループをスケジュールし、高度ワイヤレスアクセス技術の制御またはＲＳリソースのための追加のＰＨＩＣＨリソースグループを用いるために用いることができる。言い換えれば、１つの可能な調停プロシージャ（１１２Ｂ）は、高度ワイヤレスアクセス技術とレガシーワイヤレスアクセス技術の両方のための確認応答をサポートするために必要な数よりも多いＰＨＩＣＨリソースグループの総数をスケジュールすることである。
【００３７】
代替態様では、調停プロシージャ１１２Ｂは、レガシーワイヤレスアクセス技術と高度ワイヤレスアクセス技術との間のＰＨＩＣＨ競合を回避する形でＡＴアップリンク送信をスケジュールするために用いられることができる。一般に、アップリンク送信は、それらのアップリンク送信に関係するフィードバックを受信するための特定のＰＨＩＣＨリソースにマッピングされる。したがって、一例として、ＰＨＩＣＨシグナリングのためのダウンリンクリソースであるリソースＢにマッピングされた、データ送信のためのアップリンクリソースであるリソースＡについて考えるリソースＡへのアップリンク上に割り当てられたＡＴは、ダウンリンク上のリソースＢをモニタすることになる。反対に、アップリンクリソースＡ上のＡＴからデータを受信すると、基地局１０４は、ダウンリンクリソースＢ上のＡＴにＰＨＩＣＨ信号を送信することになる。しかしながら、システム１００などの多重アクセス技術システムにおいて、高度ワイヤレスアクセス技術にＰＨＩＣＨグループを割り当てると、レガシーワイヤレスアクセス技術のために構成されたＡＴのパフォーマンスが低下することがあることを諒解されたい。たとえば、レガシーＡＴのために利用可能なＰＨＩＣＨグループの数を減らすと、間接リソース競合またはリソースパンクチャリングが生じることがある。このタイプの競合は、確認応答のためにＰＨＩＣＨグループを利用するＡＴのパフォーマンス劣化につながることがある。
【００３８】
この問題を緩和するために、調停ポリシー１１２Ｂは、（たとえば、確認応答のために）レガシーワイヤレスアクセス技術によって用いられたＰＨＩＣＨグループと高度ワイヤレスアクセス技術のために予約されたＰＨＩＣＨとの間の競合の影響を緩和するためにＰＨＩＣＨリソースにアップリンク送信のマッピングを組み込むことができる。すなわち、レガシーＡＴ（レガシーワイヤレスアクセス技術のために構成されたＡＴ）によって用いられたアップリンクリソースにマッピングされたＰＨＩＣＨグループは、高度ワイヤレスアクセス技術のために予約されたＰＨＩＣＨグループ、または高度ＡＴ（高度ワイヤレスアクセス技術のために構成されたＡＴ）によって用いられたＰＨＩＣＨグループと競合する可能性が低くなる。その結果、基地局１０４によってサービスされるレガシーＡＴは、高度ワイヤレスアクセス技術のために予約されたＰＨＩＣＨリソースグループ以外のＰＨＩＣＨグループにマッピングされたアップリンクリソース上で送信する。ＬＴＥ  ＡＴによって利用されるＰＨＩＣＨグループは、前述のように、ＡＴにスケジュールされたアップリンクリソースと、基地局１０４によって構成できる他のＡＴ固有パラメータとに依存するので、これは、たとえば、ＬＴＥにおいて可能になる。この後者の態様では、確認応答のためにレガシーＡＴによってモニタされるＰＨＩＣＨグループと（確認応答、制御信号またはＲＳ送信、データ送信などのために）高度ワイヤレスアクセス技術のために予約されたＰＨＩＣＨグループとの間の衝突を、調停ポリシー１１２Ｂによって緩和または回避することができる。したがって、本開示の少なくとも１つの態様では、調停プロシージャは、高度ワイヤレスアクセス技術のために予約されたＰＨＩＣＨリソースグループ以外のＰＨＩＣＨグループのセットに対応するリソースをアップリンクするために、レガシーワイヤレスアクセス技術のために構成されたアクセス端末をマッピングすることを備える。
【００３９】
本開示の別の態様によれば、リソース選択モジュール１１０は、ワイヤレスネットワーク（および基地局１０４）によって用いられる制御チャネルエレメント（ＣＣＥ）のサブセットを高度ワイヤレスアクセス技術の制御またはＲＳ信号に割り当てることができる。少なくとも１つの態様では、リソース選択モジュール１１０は、（たとえば、少なくともリソースが高度ワイヤレスアクセス技術のために予約されている限り）これらのリソースがレガシーワイヤレスアクセス技術の物理ダウンリンク制御チャネル（ＰＤＣＣＨ）送信のために用いられないようにすることができる。ＣＣＥおよびＰＤＣＣＨの使用を示すために、ＬＴＥシステムについて考える。ＬＴＥでは、ＣＣＥは、ワイヤレスサブフレームの制御領域中の９個のリソース要素グループ（ＲＥＧ）の集合体である（たとえば、下の図２の制御リソースを参照）。ＰＤＣＣＨ信号は、１、２、４、または８個のＣＣＥの統合体で送信される。各サブフレームにおいて、ＣＣＥは、ＬＴＥ標準（たとえば、ＬＴＥ  Ｒｅｌｅａｓｅ  ８）に指定されているように順序付けることができ、ＰＤＣＣＨは、この順序で１、２、４、または８個の連続するＣＣＥに割り当てることができる。
【００４０】
上記の構造に基づいて、リソース選択モジュール１１０は、レガシーＡＴのＰＤＣＣＨに使用すべき第１のＣＣＥと統合サイズ（たとえば、１、２、４、または８個のＣＣＥ）とを選択することができ、高度ワイヤレスアクセス技術のために予約されたＣＣＥグループとの競合を回避することができる。このようにすると、基地局１０４は、高度ワイヤレスアクセス技術にいくつかのＣＣＥリソースを提供しながら、レガシーＡＴのためのＰＤＣＣＨをサービスし続けることができる。したがって、ＬＴＥシステムに関して、ＣＣＥのサブセットは、ＬＴＥ−Ａのために予約でき、残りのＣＣＥは、ＬＴＥ  Ｒｅｌｅａｓｅ  ８またはＬＴＥの何らかの他のバージョンのために構成されたＡＴのためのＰＤＣＣＨ信号のために用いることができる。ＬＴＥ−Ａのために予約されたＣＣＥは、ＬＴＥ  Ｒｅｌ  ８には、他のＡＴ（たとえば、他のＬＴＥ  Ｒｅｌ  ８  ＡＴ）に割り当てられたＰＤＣＣＨリソースのように見えるであろう。したがって、ＬＴＥ  Ｒｅｌ  ８  ＡＴは、ＬＴＥ−ＡのためのＣＣＥのこの予約によって影響を受けない。この例は、地上波無線アクセスネットワークにおいて組み合わされたレガシーワイヤレスアクセス技術と高度ワイヤレスアクセス技術との他の組合せに適用できることを諒解されたい。
【００４１】
リソース選択モジュール１１０は、上記で説明したように、ＣＣＥ送信上の競合を回避することを試みることができるが、たとえばピークトラフィック中または高負荷期間中に、パフォーマンスロスが依然として生じることがある。高度ワイヤレスアクセス技術のためにＣＣＥを予約することの結果としてベースラインワイヤレスアクセス技術のために構成されたＡＴのパフォーマンスロスを緩和するために、調停ポリシー１１２Ｂを用いることができる。この場合、調停ポリシー１１２Ｂは、ベースラインワイヤレスアクセス技術のために構成されたＡＴのためのＰＤＣＣＨ信号電力を変更すること、これらの端末のためのＰＤＣＣＨの送信のために割り当てられたＲＥの数を変更すること、または、これらのアクセス端末のためのＰＤＣＣＨとＣＣＥとのマッピングを最適化することのうちの少なくとも１つを指定することができる。後者の場合、調停ポリシー１１２Ｂは、パフォーマンスを最適化する（または高度ワイヤレス技術のために予約されたＣＣＥとの衝突を回避する）形でレガシーＡＴに対するＰＤＣＣＨの送信のために使用するＣＣＥの編成を指定することができる。
【００４２】
さらに別の態様では、リソース選択モジュール１１０は、ＲＳ、ＰＨＩＣＨ、または物理制御フォーマットインジケータチャネル（ＰＣＦＩＣＨ）送信のためにレガシーワイヤレスアクセス技術によって用いられない制御セグメントリソース要素（ＲＥ）を高度ワイヤレスアクセス技術信号のために割り当てることができる。言い換えれば、ＣＣＥの一部であるＲＥは高度ワイヤレスアクセス技術信号のために予約できる。さらに、ＣＣＥの一部ではなく、ＰＨＩＣＨ、ＰＣＦＩＣＨまたはＲＳ送信のために用いられない制御シンボルＲＥを、この目的のために用いることもできる。
【００４３】
ＰＤＣＣＨ信号が、いくつかの予約されたＲＥを含んでいるＣＣＥにマッピングされる場合、予約されたＲＥは、基地局１０４によって用いられたＰＤＣＣＨをパンクチャすることができる（間接リソース競合が生じる）。高度ワイヤレスアクセス技術のために構成されたＡＴは、このタイプのＰＤＣＣＨ競合を識別し、この競合を補償するためにＰＤＣＣＨを復号するように構成できる。レガシーＡＴは、このＰＤＣＣＨ競合を識別するように構成されていないことがあり、パフォーマンスロスを観測することがある。そのような場合、調停プロシージャ１１２Ｂは、このパフォーマンスロスを補償するためにレガシーＡＴのための電力制御を調整するように基地局１０４に命令することができる。代替的にまたは追加として、調停プロシージャ１１２Ｂは、パフォーマンスロスを最小限に抑えるためにＰＤＣＣＨとＣＣＥとのマッピングを最適化するように基地局１０４に命令することができる。代替的にまたは追加として、調停プロシージャ１１２Ｂは、ＰＤＣＣＨパフォーマンスを改善するためにＰＤＣＣＨ統合サイズを増加するように、または予約されたＲＥとの競合を回避するためにＰＤＣＣＨ統合サイズを減少するように基地局１０４に命令することができる。
【００４４】
さらに他の態様では、リソース選択モジュール１１０は、高度ワイヤレスアクセス技術ＡＴのための物理ダウンリンク共有チャネル（ＰＤＳＣＨ）リソースを割り当てることができる。一例として、リソース選択モジュール１１０は、レガシーワイヤレスアクセス技術のためのデータ割当てと少なくとも部分的に競合することがあるＰＤＳＣＨ  ＲＥに制御またはＲＳリソースを割り当てる。上述の制御セグメントＲＥと同様に、高度アクセス技術ＡＴは、競合を識別し、パフォーマンスロスを緩和する形でＰＤＳＣＨを復号することができる。競合を識別するように構成されていないレガシーＡＴの場合、調停プロシージャ１１２Ｂは、予約されたＲＥが存在する周波数帯域の一部においてＡＴをスケジュールすることを回避するように基地局１０４に命令することができる。さらに、調停プロシージャ１１２Ｂは、競合を補償するために電力およびレート制御を用いるように、または競合の影響を最小限に抑えるのに好適なリソーススケジューリングを用いるように基地局１０４に命令することができる。
【００４５】
代替例として、リソース選択モジュール１１０は、高度ワイヤレスアクセス技術のために予約されたＰＤＳＣＨ  ＲＥに制御またはＲＳリソースを割り当てる。この場合、これらのＰＤＳＣＨ  ＲＥは、少なくとも部分的に、高度ワイヤレスアクセス技術ならびに制御信号またはＲＳのために構成されたＡＴのデータ送信のために利用できる。高度ワイヤレスアクセス技術のためのＰＤＳＣＨ  ＲＥを予約することはレガシーＡＴに影響を及ぼすことがある。この場合、調停プロシージャ１１２Ｂは、レガシーＡＴに対する影響を相殺するために高度ワイヤレスアクセス技術のためにリソースを予約するための低減デューティサイクルを指定することができる。
【００４６】
少なくとも１つの追加の態様によれば、リソース選択モジュール１１０は、ワイヤレス信号の１つまたは複数のマルチキャスト／ブロードキャスト単一周波数ネットワーク（ＭＢＳＦＮ）サブフレームの非制御シンボルに高度アクセス技術制御またはＲＳリソースを割り当てることができる。ＬＴＥでは、たとえば、ＭＢＳＦＮサブフレームは１つまたは２つの制御シンボルを含むが、これらのサブフレームの残りのシンボルは義務送信を割り当てられない。レガシーＡＴは、一般に、ＭＢＳＦＮサブフレーム上の制御シンボルのみを監視する。したがって、レガシーＡＴに影響を及ぼすことなしに高度アクセス技術ＡＴのためのＭＢＳＦＮサブフレームの非制御ＯＦＤＭシンボルを予約することが可能である。
【００４７】
さらに別の態様では、リソース選択モジュール１１０は、リソーススケジュール１０８Ａによって指定された他の未予約のワイヤレスリソースを識別し、高度アクセス技術ＡＴのためにこれらの未予約のワイヤレスリソースを用いることができる。たとえば、時分割複信（ＴＤＤ）システムは、フレーム構造タイプ２を有する特殊サブフレームを備える。フレーム構造タイプ２は、ガード期間（ＧＰ）フィールド、ならびに特殊サブフレームのダウンリンク部（ＤｗＰＴＳ）を指定する。一例では、リソース選択モジュール１１０は、様々な特殊サブフレームリソース割当てを用いてレガシーＡＴと高度アクセス技術ＡＴとを構成することができる。別の例として、リソース選択モジュール１１０は、レガシーＡＴのために高度アクセス技術ＡＴ用よりも大きいＧＰフィールドを指定することができる。ＡＴは一般にＧＰフィールドを無視するので、レガシーＡＴパフォーマンスにほとんどまたはまったく影響を与えずに、ＧＰフィールドの拡大部を高度アクセス技術シグナリングのために用いることができる。さらに、レガシーＡＴによって無視される、高度ワイヤレスアクセス技術情報のために構成された新しいシステム情報ブロック（ＳＩＢ）のブロードキャストによって、高度アクセス技術ＡＴにＧＰの変化を通知することができる。したがって、リソース選択モジュール１１０は、ＴＤＤワイヤレスシステム中のレガシーワイヤレスアクセス技術のために構成されたＡＴによって無視される特殊ダウンリンクまたはＧＰフィールドシンボル、または他のシステム中の同様に無視されるシンボルに制御またはＲＳリソース（またはトラフィックリソース）を割り当てることができる。
【００４８】
高度ワイヤレスアクセス技術のためのワイヤレスリソースを予約するために利用できる様々なＲＥ、ＣＣＥ、チャネル、制御シンボルおよびサブフレームは、網羅的なものでないことを諒解されたい。むしろ、本明細書で明確に述べていない他のリソースを用いられることができる。さらに、本開示の範囲に一致するそのようなリソースの組合せを用いることもできる。さらに、リソーススケジューリング装置１０２は、下でより詳細に説明するように、リソース予約の時間変化パターンを用いることができる。たとえば、Ｎを整数として、Ｎ個のサブフレームごとに、リソースのセット（たとえば、ＣＣＥのサブセット）を高度ワイヤレスアクセス技術送信のために予約することができる。別の例として、予約されたリソースの周波数ロケーションを、予約されたリソースを含むサブフレーム内の異なる周波数サブバンド（たとえば、ここでサブバンドは、連続するリソースブロック［ＲＢ］のセットに対応する）に循環させることができる。たとえば、様々なＲＢに奇数インデックスと偶数インデックスとを付け、高度ワイヤレスアクセス技術送信のために１つのサブフレーム中で奇数インデックスリソースブロック（ＲＢ）を予約し、後続のサブフレーム中で偶数インデックスＲＢを予約することが可能である（たとえば、下の図２を参照）。別の例として、予約されたリソースを様々なサブフレームにわたって様々なサブバンドに循環させることができる。さらに別の例では、高度アクセス技術信号の送信のために使用されるサブフレーム中で分散仮想リソースブロックマッピングを用いることができる。この例は、（オーバーヘッドを最小限に抑えながら）様々なアンテナポートのためのＲＳシンボルの送信のために有用な良好な周波数サンプリングを可能にする。この後者の例はまた、制御信号の送信のために良好な周波数ダイバーシティを与えることができる。
【００４９】
図２に、一態様による複数のワイヤレスアクセス技術を可能にする例示的な時間周波数リソーススケジューリング２００を示す。リソーススケジューリング２００は、水平方向を時間で分割し、垂直方向を周波数で分割したワイヤレス信号のセグメントを示す。各時間周波数分割は単一のワイヤレスリソースである。さらに、連続する時間および周波数分割のブロックを、それぞれサブフレーム（２０２Ａ、２０２Ｂ）およびＲＢ（２０４Ａ、２０４Ｂ、２０４Ｃ）と呼ぶ。
【００５０】
詳細には、リソーススケジューリング２００は２個の時間サブフレーム２０２Ａおよび２０２Ｂを備える。各サブフレーム２０２Ａ、２０２Ｂは１４個のＯＦＤＭシンボルを備え、最初の３個は制御シンボルリソース（空白ブロック）であり、残りの１１個は制御、基準またはトラフィック送信のために用いられることができるリソース（点線または影つきブロック）である。さらに、各サブフレーム２０２Ａ、２０２Ｂは、それぞれ１２個の連続する周波数トーンを備える３個のＲＢ  ２０４Ａ、２０４Ｂ、２０４Ｃを含む。さらに、ＲＢ  ２０４Ａ、２０４Ｂ、２０４Ｃは、ＲＢ  ２０４Ａがインデックス１、ＲＢ  ２０４Ｂがインデックス２、ＲＢ  ２０４Ｃがインデックス３、のようにインデックス付けされる。
【００５１】
本開示の一態様では、サブフレーム２０２Ａ、２０２Ｂを、ＰＤＳＣＨ信号に専用とすることができ、ＰＤＳＣＨサブフレーム２０２Ａ、２０２Ｂと呼ぶ。また図示のように、第１のＰＤＳＣＨサブフレーム２０２Ａ中では、奇数インデックスＲＢ  ２０４Ａおよび２０４Ｃは、高度ワイヤレスアクセス技術信号（たとえば、暗い影つきで示す、ＬＴＥ−Ａ信号）の送信のために予約され、偶数インデックスＲＢ  ２０４Ｂは、あらゆるタイプのアクセス技術（たとえば、明るい影つきで示す、ＬＴＥまたはＬＴＥ−Ａ）を用いるＡＴのための信号の送信のためにも利用可能である。偶数サブフレーム２０２Ｂでは、逆のパターンが観測され、奇数番号のＲＢ  ２０４Ａ、２０４ＣはどのＡＴにも利用可能であり、偶数番号のＲＢ  ２０４Ｂは高度ワイヤレスアクセス技術ＡＴのために予約される。
【００５２】
さらに、高度ワイヤレスアクセス技術シグナリングのために予約された４個の時間周波数リソース（たとえば、サブフレーム２０２Ａ中の奇数ＲＢ  ２０４Ａ、２０４Ｂ、ならびにサブフレーム２０２Ｂ中の偶数ＲＢ  ２０４Ｂ）を、特に基準信号（ＲＳ）のために選択することができる。これらのＲＳリソースは、それぞれの時間周波数リソースの内側に「Ｘ」が示されている。リソーススケジューリング２００に示すように、（最後の非制御ＯＦＤＭシンボル中で）同等に配置されたリソースが奇数インデックスＲＢ  ２０４Ａ、２０４Ｂの両方におけるＲＳ送信のために選択される。しかしながら、サブフレーム２０２Ｂの偶数ＲＢ  ２０４Ｂ中のリソースは（第１の非制御ＯＦＤＭシンボル中の）異なる位置に配置されている。ただし、ＲＳリソースのこの選択は例示的なものにすぎず、他のＲＳリソースパターンを用いることができ、異なる数のリソースをＲＳ送信のために選択することができる。ただし、ＲＳ送信のこの選択により、高度ワイヤレスアクセス技術信号のためのＲＳが全周波数範囲（３個のＲＢ  ２０４Ａ、２０４Ｂ、２０４Ｃすべて）にわたることが可能になるとともに、高度アクセス技術ＲＳ信号との直接競合なしにすべてのサブフレーム上でレガシーワイヤレスアクセス技術送信をスケジュールすることが可能になる。
【００５３】
図３に、ワイヤレスネットワークにおいて複数のワイヤレスアクセス技術を可能にする別の例示的なリソーススケジューリング３００を示す。リソーススケジューリング３００は、上の図２のリソーススケジューリング２００と比較して時間周波数リソースの異なるセグメンテーションを備える。詳細には、リソーススケジューリング３００は、１４個のＯＦＤＭシンボルと、それぞれ１２個の連続する周波数トーンを備える４個の周波数ＲＢ  ３０４Ａ、３０４Ｂ、３０４Ｃ、３０４Ｄとをもつ、単一の時間サブフレーム３０２Ａを示す。さらに、時間サブフレーム３０２Ａは、最初の３個のＯＦＤＭシンボル中の制御リソース（空白ブロック）と、それぞれ４個および７個のＯＦＤＭシンボルの汎用リソースの２つのグループ（影つきブロック、明と暗の両方）と、のＯＦＤＭシンボルの３つのグループに分割される。さらに、リソーススケジューリング３００は、それぞれ１２個の周波数トーンの４個のＲＢを備えるより大きい周波数帯域に広がる。
【００５４】
リソーススケジューリング３００の非制御シンボルは、ＲＢに沿って上から下に１から４までのインデックスを付けられる。詳細には、ＲＢ  ２０４Ａはインデックス１、ＲＢ  ２０４Ｂはインデックス２、ＲＢ  ２０４Ｃはインデックス３、ＲＢ  ２０４Ｄはインデックス４になる。さらに、（４個の非制御ＯＦＤＭシンボルを備える）第１グループの奇数インデックスＲＢは高度ワイヤレスアクセス技術ＡＴのために予約され、（７個の非制御ＯＦＤＭシンボルを備える）第２グループの偶数インデックスＲＢは高度ワイヤレスアクセス技術ＡＴのために予約される。これらのＡＴのために予約された各ＲＢでは、時間周波数シンボルのセットもＲＳ送信のために予約される。ここで、これらのＲＳリソースは、連続するＯＦＤＭシンボル（第７および第８のシンボル）中にあるが、連続しないＯＦＤＭシンボル中にあってもよいことに留意されたい。図２の場合のように、リソーススケジューリング３００の高度アクセス技術ＲＳリソースはワイヤレス信号の全周波数範囲にわたる。周波数ホッピングモードにスケジュールされると、レガシーＡＴは、サブフレーム３０２Ａの前半中の奇数（または偶数）ＲＢと、サブフレーム３０２Ａの後半上の偶数（または奇数）ＲＢとを占有する。したがって、これらのＲＳリソースによってパンクチャされることなしに、レガシーＡＴをサブフレーム３０２Ａ中で周波数ホッピングモードにスケジュールすることができる。言い換えれば、レガシーＡＴのためのリソースは全周波数範囲にわたることもできる。これにより最適なパフォーマンスが可能になり、一般に、レガシーＡＴのパフォーマンスロスをほとんどまたはまったくなくすことができる。
【００５５】
図４に、別の態様による複数のワイヤレスアクセス技術を可能にするさらに別の例示的なリソーススケジューリング４００を示す。リソーススケジューリング４００は、３つの周波数ＲＢ  ４０４Ａ、４０４Ｂ、４０４Ｃを備える単一の時間サブフレーム４０２Ａを示す。この場合、暗い影つき時間周波数リソースブロックは、高度ワイヤレスアクセス技術ＲＳ（たとえば、ＬＴＥ−Ａ  ＲＳ）の送信のために予約され、明るい影つき時間周波数リソースブロックは、レガシーワイヤレスアクセス技術ＲＳ（たとえば、ＬＴＥ  ＲＳ）の送信のために予約される。空白ブロックは、この場合、どのＡＴにも利用可能な時間周波数リソースである。
【００５６】
リソーススケジューリング２００および３００とは異なり、高度アクセス技術ＲＳ送信は全周波数帯域にわたるので、これらのＲＳ送信はレガシーアクセス技術のためのＰＤＳＣＨ送信をパンクチャする。非レガシーＡＴは、パフォーマンスロスを緩和するために、この状態を識別し、それに応じてデータ送信を復号するように構成できる。しかしながら、レガシーＡＴは、一般にこの状態を識別するように構成されておらず、著しいパフォーマンスロスを受けることがある。このパフォーマンスロスを緩和するために、調停（mediation）プロシージャ（たとえば、上の図１の１１２Ｂを参照）を実装することができる。調停プロシージャは、送信電力を変更する（たとえば、増加する）こと、レガシーアクセス技術送信のためのリソーススケジューリングを変更することまたはレート制御を変更すること、高度アクセス技術リソースのためのデューティサイクルを変更することなど、またはそれらの組合せを備えることができる。たとえば、低レートレガシーＡＴは、パンクチャリングにより、高レートレガシーＡＴよりも小さいパフォーマンスロスを受けることがある。スケジューラ（たとえば、上のリソース選択モジュール１１０）は、そのような場合、このパンクチャリングをもつサブフレーム上に低レートレガシーＡＴをスケジュールし、このパンクチャリングを経験しない他のサブフレーム上に高レートレガシーＡＴをスケジュールすることを選好することができる。
【００５７】
図５に、本開示の態様による動的および適応的リソーススケジューリングを提供する例示的なシステム５００のブロック図を示す。詳細には、システム５００は、変化するワイヤレス状態に対応することができ、そのような状態に基づいてリソーススケジューリングパターンを適応させることができる。したがって、システム５００は、様々な動的ワイヤレス状態においてＡＴパフォーマンスを経時的に最適化することができる。
【００５８】
システム５００は、基地局５０４とワイヤレス結合されたＡＴ５０２Ａ、５０２Ｂのセットを備える。ＡＴ５０２Ａ、５０２Ｂのセットは、ベースラインワイヤレスアクセス技術５０２Ｂのために構成されたＡＴと、第２のワイヤレスアクセス技術５０２Ａのために構成されたＡＴとを備える。各ＡＴ５０２Ａ、５０２Ｂは、それぞれのＡＴによって用いられたアクセス技術のために構成されたプロトコルを介して基地局５０４と通信する。これらのプロトコルは、基準、制御またはトラフィック信号などの様々な送信信号のために、どのリソースを用いるべきかについてＡＴ５０２Ａ、５０２Ｂに命令する。
【００５９】
詳細には、基地局５０４は、上の図１のリソース選択モジュール１１０について説明したのと同様の方法で、ＡＴ５０２Ａ、５０２Ｂのそれぞれのタイプのうちでリソースを割り当てる選択モジュール５０６を備えることができる。本開示の少なくとも１つの態様では、リソース割当ては、それぞれのＡＴにおいて観測され、基地局５０４に報告される、既存のワイヤレス状態に少なくとも部分的に基づくことができる。これらの状態は、基地局５０４と通信可能に結合されたデータベース５１２中のワイヤレス状態ファイル５１４Ｂ中に記憶できる。
【００６０】
選択モジュール５０６によって利用されるリソース割当てのタイプに基づいて、ベースラインアクセス技術ＡＴ５０２Ｂにパフォーマンスロスが生じることがある。一例では、選択モジュール５０６が、基地局５０４によって利用される全周波数帯域にわたるＰＤＳＣＨサブフレーム中で第２のワイヤレスアクセス技術のためにＲＳ信号を予約した場合、このパフォーマンスロスが発生することがある（たとえば、上のリソーススケジューリング４００を参照）。ＡＴ５０２Ａは、このタイプのリソース割当てを検出し、補償のために信号復号を変更するように構成できるが、ＡＴ５０２Ｂは、この能力を有してないことがある。したがって、ＡＴ５０２Ｂは、このリソーススケジューリングによっては、ある程度のパフォーマンスロスを観測することがある。このパフォーマンスロスを緩和または回避するために、基地局５０４は補償モジュール５０８を備えることができる。詳細には、補償モジュール５０８は、本明細書で説明するように、このパフォーマンスロスを緩和するために、調停プロシージャに基づいて電力制御、レート制御または動的スケジューリングを用いることができる。さらに、補償モジュール５０８は、調停プロシージャを適用し、パフォーマンスロス緩和を最適化するのに好適な方法を判断するために、既存のワイヤレス状態５１４Ｂ（またはデータベース５１２によって記憶される経時的な更新から導出される、履歴ワイヤレス状態）を参照することができる。
【００６１】
本開示のさらに他の態様によれば、基地局５０４は、ネットワーク負荷または優勢なワイヤレス状態に基づいてリソースまたはリソースパターンの割当てを動的に変更する適応モジュール５１０を備えることができる。たとえば、適応モジュール５１０は、異なるリソースパターンを実装するための予約パターンのスケジュール５１４Ｃとルール５１４Ａとを参照することができる。例示的なリソース予約パターンは、Ｎ個のサブフレームごと（たとえば、上の図２を参照）またはサブフレームのセグメントごと（たとえば、上の図３を参照）に予約リソースブロックを交換すること、予約ＲＢの様々な周波数サブバンドを循環すること、または予約リソースを様々なサブフレームに循環させること、予約サブフレーム中で仮想リソースブロックマッピングを用いること（たとえば、上の図４を参照）など、またはそれらの好適な組合せを備えることができる。様々なリソース予約パターン５１４Ｃを実装するためのルール５１４Ａは、基地局５０４よってサービスされる高度アクセス技術ＡＴ（５０２Ａ）の数、それらのＡＴ（５０２Ａ）のトラフィック要件、それらのＡＴ（５０２Ａ）のために用いられるリソースなどのネットワーク負荷状態に基づくことできる。代替的にまたは追加として、ルール５１４Ａは、ＡＴ５０２Ａ、５０２Ｂによって報告されたチャネル干渉、スループットまたはデータレート、信号対雑音比（ＳＮＲ）、あるいはワイヤレスチャネル強度または品質の他の測定を含む、ワイヤレス状態５１４Ｂに基づいて、特定のリソース予約パターン５１４Ｃを指定することができる。現在の負荷またはワイヤレス状態に基づいて、適応モジュール５１０はリソーススケジューリングを変更または保持することができる。
【００６２】
上記に加えて、適応モジュール５１０は、経時的な変化を識別するためにネットワーク負荷またはワイヤレス状態（５１４Ｂ）を動的にモニタすることができる。ルール５１４Ａによって指定されたしきい値変更が行われると、新しいリソース予約パターンを実装することができる。このようにして、適応モジュール５１０は、既存のＡＴ５０２Ａ、５０２Ｂのニーズ、ならびに優勢なワイヤレス状態に合わせて最適化される動的リソース環境を提供することができる。
【００６３】
図６に、本開示の態様のために構成されたワイヤレス基地局６０２を備える例示的なシステム６００のブロック図を示す。一例として、システム６００は、様々なワイヤレスアクセス技術を用いる（１つまたは複数の）ＡＴ６０４をサポートするように構成された基地局６０２を備えることができる。別の例では、基地局６０２は、本明細書で説明するように、変化する負荷またはワイヤレス状態に基づいて、これらのワイヤレスアクセス技術に対応するために動的および適応的リソース予約を提供するように構成される。
【００６４】
基地局６０２（たとえば、アクセスポイント、．．．）は、１つまたは複数のＡＴ６０４から１つまたは複数の受信アンテナ６０６を通してワイヤレス信号を取得する受信機６１０と、変調器６２８によって提供された符号化／変調したワイヤレス信号を（１つまたは複数の）ＡＴ６０４に（１つまたは複数の）送信アンテナ６０８を通して送信する送信機６３０とを備えることができる。受信機６１０は、受信アンテナ６０６から情報を取得し、さらに、（１つまたは複数の）ＡＴ６０４によって送信されたアップリンクデータを受信する信号受信者（図示せず）を備えることができる。さらに、受信機６１０は、受信情報を復調する復調器６１２に動作可能に連結される。復調されたシンボルはデータプロセッサ６１４によって分析される。データプロセッサ６１４はメモリ６１６に結合され、このメモリ６１６は、基地局６０２によって提供または実装される機能に関係する情報を記憶する。一例では、記憶された情報は、様々なワイヤレスアクセス技術のうちでワイヤレスリソースのサブセットを予約するための事前構成パターンを備えることができる。上記に加えて、メモリ６１６は、これらの事前構成パターンの間で選択するためのルールまたはプロトコルを備えることができる。選択は、ネットワーク負荷、または（１つまたは複数の）ＡＴ６０４の現在のトラフィック要件に基づくことができる。
【００６５】
特定の一態様では、基地局６０２は、レガシーワイヤレスアクセス技術のためのリソーススケジューリングを分析する解析モジュール６１８を備えることができる。さらに、基地局６０２は、パフォーマンスロス緩和ポリシー（図示せず）に従って高度ワイヤレスアクセス技術のための制御またはＲＳリソースを割り当てる選択モジュール６２０を備えることができる。一態様では、このパフォーマンスロス緩和ポリシーは、（たとえば、分析されたリソーススケジューリングに基づいて）レガシーワイヤレスアクセス技術のためのリソーススケジューリングと競合しない制御またはＲＳリソースを指定するか、またはリソーススケジューリングと競合する制御または基準信号リソースのための調停プロシージャの実装を指定する。調停プロシージャは、リソーススケジューリングに起因する（１つまたは複数の）ＡＴ６０４のパフォーマンスロスを緩和するために電力制御、レート制御または動的スケジューリングを用いる補償モジュール６２４によって実装できる。少なくとも１つの特定の態様では、パフォーマンスロス緩和ポリシーは、高度ワイヤレスアクセス技術のために予約されたリソースがレガシーＡＴのリソース予想をパンクチャしたとき、レガシーＡＴのパフォーマンスロスを緩和するために適応的リソース割当てパターンを指定する。適応的リソース割当てパターンは、Ｎ個（ここでＮは整数）のサブフレームごとに（高度ワイヤレスアクセス技術のために）制御またはＲＳリソースを予約すること、制御またはＲＳリソースの予約を周波数帯域の様々な部分に循環させること、制御またはＲＳリソースの予約を異なるサブフレームにわたって異なるサブバンドに循環すること、あるいは制御またはＲＳリソースのために用いられるサブフレーム中で分散仮想リソースブロックマッピングを用いることのうちの少なくとも１つを含むことができる。
【００６６】
別の態様では、基地局６０２は、高度ワイヤレスアクセス技術のために構成された（１つまたは複数の）ＡＴ６０４にメッセージを送信するスケジューリングモジュール６２２を備え、選択モジュール６２０によって割り当てられた制御またはＲＳリソースのロケーションを指定する。一構成では、スケジューリングモジュール６２２は、高度ワイヤレスアクセス技術のために構成された（１つまたは複数の）ＡＴ６０４に専用のＳＩＢを介してメッセージをブロードキャストする。別の構成では、スケジューリングモジュール６２２は、この（１つまたは複数の）ＡＴ６０４に専用の共通チャネルを介してメッセージをブロードキャストする。代替構成では、しかしながら、スケジューリングモジュール６２２は、代わりに１つまたは複数のＡＴ６０４にメッセージをユニキャストする。別の代替構成では、スケジューリングモジュール６２２は、代わりに、レガシーワイヤレスアクセス技術によって用いられたリソースを介してメッセージをブロードキャストまたはユニキャストする。
【００６７】
少なくとも１つの態様によれば、基地局６０２は適応モジュール６２６を備えることができる。一例では、適応モジュール６２６は、ネットワーク負荷または優勢なワイヤレス状態に基づいて選択モジュール６２０によって提供された制御またはＲＳリソースの割当てを動的に変更する。１つの特定の例として、リソース変更のために利用されるネットワーク負荷は、基地局６０２によってサービスされるアクセス端末の数または（１つまたは複数の）ＡＴ６０４に送信すべき制御情報の量を備える。別の特定の例では、リソース変更のための利用されるワイヤレス状態は、（レガシーワイヤレスアクセス技術のために構成されたＡＴまたは高度ワイヤレスアクセス技術のために構成されたＡＴを含むことができる）（１つまたは複数の）ＡＴ６０４によってサブミットされるチャネルパフォーマンス推定値を含む。さらに、適応モジュール６２６は、ネットワーク負荷またはワイヤレス状態を監視することができ、これらの状態におけるしきい値変化に基づいて制御またはＲＳリソースの割当てを更新する。
【００６８】
図７に、本開示の態様によるワイヤレス通信のために構成されたＡＴ７０２を備える例示的なシステム７００のブロック図を示す。ＡＴ７０２は、ワイヤレスネットワークの１つまたは複数の基地局７０４（たとえば、アクセスポイント）とワイヤレス通信するように構成できる。そのような構成に基づいて、ＡＴ７０２は、順方向リンク（またはダウンリンク）チャネル上で基地局（７０４）からワイヤレス信号を受信し、逆方向リンク（またはアップリンク）チャネル上でワイヤレス信号で応答することができる。さらに、ＡＴ７０２は、受信したワイヤレス信号を分析するための、詳細には、以下でより詳細に説明するように、ワイヤレスリソース割当てのリソース競合を識別する、リソース競合によるパフォーマンスロスを緩和する形で信号を復号する、既存のワイヤレス状態をサンプリングし、サンプリングした状態の報告をサブミットするなどのための、メモリ７１４に記憶された命令を備えることができる。
【００６９】
ＡＴ７０２は、信号を受信する少なくとも１つのアンテナ７０６（たとえば、入力／出力インターフェースを備えるワイヤレス送信／受信インターフェースまたはそのようなインターフェースのグループ）と、受信信号に対して典型的なアクション（たとえば、フィルタ処理、増幅、ダウンコンバートなど）を実行する（１つまたは複数の）受信機７０８とを含む。一般に、アンテナ７０６、変調器７２４および送信機７２６は、（１つまたは複数の）基地局７０４にワイヤレスデータを送信するように構成できる。
【００７０】
アンテナ７０６および（１つまたは複数の）受信機７０８はまた、受信シンボルを復調し、そのような信号を評価のために（１つまたは複数の）データプロセッサ７１２に供給することができる復調器７１０に結合できる。（１つまたは複数の）データプロセッサ７１２は、ＡＴ７０２の１つまたは複数のコンポーネント（７０６、７０８、７１０、７１４、７１６、７１８、７２０、７２２）を制御および／または参照することができることを諒解されたい。さらに、（１つまたは複数の）データプロセッサ７１２は、ＡＴ７０２の機能を実行することに関係する情報または制御権を備える１つまたは複数のモジュール、アプリケーション、エンジンなど（７１６、７１８、７２０、７２２）を実行することができる。たとえば、そのような機能は、ワイヤレス信号を受信し、復号すること、そのような信号からリソース割当てを識別すること、観測されたワイヤレスチャネルの状態を分析すること、チャネル情報を基地局７０４にサブミットすること、そのような統計値に基づいてリソース最適化を実装することなどを含むことができる。
【００７１】
さらに、ＡＴ７０２のメモリ７１４は（１つまたは複数の）データプロセッサ７１２に動作可能に結合される。メモリ７１４は、送信、受信などすべきデータと、リモートデバイス（８０４）とのワイヤレス通信を行うのに適した命令とを記憶することができる。詳細には、命令は、上記または本明細書の他の箇所で説明する様々な機能を実施するために利用できる。さらに、メモリ７１４は、上記の（１つまたは複数の）データプロセッサ７１２によって実行されるモジュール、アプリケーション、エンジンなど（７１６、７１８、７２０、７２２）を記憶することができる。
【００７２】
ＡＴ７０２の１つの例示的な動作によれば、ワイヤレス受信機７０８は、ＬＴＥアクセス技術のためのスケジューリングポリシーを取得し、復調器７１０は、データプロセッサ７１２のためにスケジューリングポリシーを復号する。さらに、データプロセッサ７１２は、ＬＴＥ技術に関連してＬＴＥ−Ａアクセス技術を用いるために構成されたモジュール（７１６、７１８、７２０、および７２２）のセットを実行することができる。詳細には、解析モジュール７１６が実行され、基地局７０４によって提供されたスケジューリングメッセージからＬＴＥ−Ａスケジューリングポリシーを抽出する。さらに、分析モジュール７１８が実行され、ＬＴＥ−Ａスケジューリングポリシーを調査する。さらに、分析モジュール７１８は、ＡＴ７０２に関係するＬＴＥ−Ａトラフィックのためのリソーススケジューリングを識別する。
【００７３】
ＬＴＥ−Ａスケジューリングポリシーは、制御またはＲＳリソースのためのリソース予約パターンのセットのうちの１つを用いることができる。一例では、ＬＴＥ−Ａスケジューリングポリシーは、ワイヤレス信号のＮ個ごとのサブフレームと、ＬＴＥ−Ａ送信を含んでいる様々な信号サブフレーム中の一連の様々な周波数サブバンドと、周波数サブバンドの一連の様々な部分と、ＬＴＥ−Ａ送信を含んでいる様々な信号サブフレームの少なくとも１つ中の分散仮想リソースブロックとのうちの少なくとも１つへのＬＴＥ−Ａ制御またはＲＳリソースの割当てと、を含む。上記のリソース予約パターンの組合せを用いることもできることを諒解されたい。
【００７４】
本開示の一態様では、解析モジュール７１６は、基地局７０４によってＡＴ７０２に送信されたユニキャストメッセージ中のスケジューリングメッセージを取得する。別の態様では、スケジューリングメッセージをＬＴＥ−Ａトラフィックに専用のＳＩＢまたは制御チャネル上で送信するか、または随意に、スケジューリングメッセージをＬＴＥトラフィックのために用いられる少なくとも１つのリソース上で送信することができる。代替態様では、ＡＴ７０２にＬＴＥ−Ａスケジューリングポリシーがプリロードされ、解析モジュール７１６はＬＴＥ−Ａスケジューリングポリシーを事前構成メモリ設定（７１４）から取得する。さらに別の態様では、解析モジュール７１６は、さらに、ＬＴＥ−Ａスケジューリングポリシーに対する定期更新またはトリガ更新を取得する。更新は現在のネットワーク負荷または優勢なワイヤレス状態に基づくことができる。さらに、データプロセッサ７１２は、ＡＴ７０２と基地局７０４との間のリソーススケジューリングを調整することと、現在のネットワーク負荷および優勢なワイヤレス状態のための生成されたリソース最適化を利用することとのために、ＬＴＥ−Ａスケジューリングポリシーを更新する。
【００７５】
上記に加えて、ＡＴ７０２は、ワイヤレス受信機７０８におけるワイヤレス状態を推定するサンプリングモジュール７２０を備えることができる。この推定に基づいて、サンプリングモジュール７２０は、動的および適応的ＬＴＥ−Ａスケジューリングを可能にするために基地局７０４にワイヤレス状態推定値をサブミットする。サブミットは、たとえば、推定値中で指定されたワイヤレス状態に応じて、更新されたリソース予約パターンをトリガするために用いることもできる。
【００７６】
少なくとも１つのさらなる態様では、ＡＴ７０２は補償モジュール７２２を備えることができる。補償モジュール７２２は、基地局７０４によって用いられる多重アクセス技術実装に起因するリソース割当て競合を識別するように構成できる。そのような競合が識別された場合、補償モジュールは、そのような競合に起因し得るパフォーマンスロスを軽減しようと試みることができる。１つの例示的な例として、補償モジュール７２２は、ＡＴ７０２に関係するデータトラフィックと少なくとも部分的に干渉するＬＴＥ−Ａ制御またはＲＳ送信を識別する。この干渉は、ＬＴＥ−ＡスケジューリングをＬＴＥスケジューリングポリシーと相互参照することによって識別できる。さらに、補償モジュール７２２は、この部分的干渉に基づくパフォーマンスロスを軽減するために信号復号を調整する。
【００７７】
上述のシステムについては、いくつかのコンポーネント、モジュールおよび／または通信インターフェースの間の相互作のために関して説明した。そのようなシステムおよびコンポーネント／モジュール／インターフェースは、本明細書で指定されたコンポーネント／モジュールもしくは下位モジュール、指定されたコンポーネント／モジュールもしくは下位モジュールの一部、および／または追加のモジュールを含むことができることを諒解されたい。たとえば、システムは、ＡＴ７０２、基地局６０２、およびリソーススケジューリング装置１０２、またはこれらもしくは他のモジュールの異なる組合せを含むことができる。下位モジュールは、親モジュール内に含めるのではなく、他のモジュールに通信可能に結合されたモジュールとして実装することもできる。さらに、１つまたは複数のモジュールを組み合わせて、集約機能を提供する単一のモジュールにすることができることに留意されたい。たとえば、信号解析モジュール１０８は、単一のコンポーネントとして、ベースラインアクセス技術スケジューリングを判断し、高度アクセス技術スケジューリングを確立することを可能にするために、選択モジュール１１０を含むことができ、またはその逆も可能である。コンポーネントはまた、本明細書に具体的に説明されていないが当業者に知られている１つまたは複数の他のコンポーネントと相互作用することができる。
【００７８】
さらに、諒解されるように、開示した上記のシステムおよび下記の方法の様々な部分は、人工知能、または知識ベースもしくはルールベースのコンポーネント、下位コンポーネント、プロセス、手段、方法、または機構（たとえば、サポートベクターマシン、ニューラルネットワーク、エキスパートシステム、ベイズの信念ネットワーク（belief network）、ファジィ論理、データ融合エンジン、クラシファイヤなど）を含むか、またはそれらからなる。そのようなコンポーネントは、特に、および本明細書ですでに説明したものに加えて、システムおよび方法の部分をより適応的ならびに効率的で知的にするために、それによって実行されるいくつかの機構またはプロセスを自動化することができる。
【００７９】
上記で説明した例示的なシステムに鑑みて、開示する主題に従って実施できる方法は、図８〜図１０のフローチャートを参照すればより良く諒解されよう。説明を簡単にするために、方法を一連のブロックとして図示および説明したが、いくつかのブロックは本明細書で図示および説明したブロックとは異なる順序で、および／または他のブロックと同時に、行うことができるので、主張する主題はブロックの順序によって限定されないことを理解および諒解されたい。さらに、以下で説明する方法を実施するために、図示されたすべてのブロックが必要とされるわけではない。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００８０】
図８に、一般的なワイヤレスアクセスネットワークにおいて複数のアクセス技術を提供するための例示的な方法のフローチャートを示す。８０２において、方法８００は、ワイヤレスネットワークのワイヤレスリソースのためのワイヤレスリソーススケジュールを取得するためにデータインターフェースを用いる。データインターフェースは好適なワイヤードまたはワイヤレス通信インターフェースとすることができる。ワイヤレスリソースは、ワイヤレスネットワークが使用できるワイヤレス通信リソースの総和に対応する。これらのリソースは、ＯＦＤＭネットワーク中の時間周波数リソース、符号分割多元接続（ＣＤＭＡ）ネットワーク中の符号および拡散率リソース、時分割複信（ＴＤＤ）ネットワークのタイムスロットおよびサブスロットなどを含むことができる。ワイヤレスリソーススケジュールはワイヤレスネットワークのリソースの既存の割振りに対応する。たとえば、ワイヤレスリソーススケジュールは、ＬＴＥ  Ｒｅｌｅａｓｅ  ８などのベースライン（または既存の）ワイヤレスアクセス技術用とすることができる。
【００８１】
８０４において、方法８００は、ワイヤレスリソーススケジューリングを分析し、ベースラインワイヤレスアクセス技術によって用いられるワイヤレス信号リソースを識別するためにデータプロセッサを用いることを備える。さらに、８０６において、方法８００は、第２のワイヤレスアクセス技術（たとえば、高度ＬＴＥ技術またはＬＴＥのポストＲｅｌｅａｓｅ  ８バージョン）の制御または基準信号（ＲＳ）のためにワイヤレスネットワークのワイヤレスリソースのサブセットを予約するためにデータプロセッサを用いることを備える。一態様では、リソースを予約することは、さらに、選択された継続時間（たとえば、１つのサブフレーム）または選択された周期的継続時間（たとえば、上の図３に示したような、選択された奇数番号または偶数番号のサブフレーム）の間、ワイヤレスネットワークのすべてのワイヤレス信号リソースを第２のワイヤレスアクセス技術のために予約することを備えることができる。この態様では、方法８００は、ベースラインワイヤレスアクセス技術にサービスするために（たとえば、ワイヤレス信号サブフレームの外部にまたは偶数番号または奇数番号の交番サブフレーム上でなど）残りのワイヤレス信号リソースを用いることができる。
【００８２】
上記に加えて、ワイヤレスリソースのサブセットを予約するためにデータプロセッサを用いることは、さらに、予約されたワイヤレスリソースのためにワイヤレスネットワークによって用いられるＰＨＩＣＨリソースグループのサブセット、ワイヤレスネットワークによって用いられるＣＣＥのサブセット、ワイヤレスネットワークによって用いられる制御セグメントＲＥのサブセット、ワイヤレスネットワークによって用いられるＰＤＳＣＨリソースのサブセット、または（たとえば、ＭＢＳＦＮリソースのサブセットをＭＢＳＦＮサブフレームの非制御シンボルにスケジュールする）ワイヤレスネットワークによって用いられるＭＢＳＦＮリソースのサブセットのうちの少なくとも１つを用いることを備えることができる。少なくとも１つの代替態様では、ワイヤレスリソースのサブセットを予約するためにデータプロセッサを用いることは、さらに、ワイヤレスリソースの予約されたサブセットのためのダウンリンク部または特殊ＴＤＤサブフレームのＧＰフィールドを用いることを備えることができる。この態様では、方法８００は、さらに、ベースラインアクセス技術のために構成されたアクセス端末によって用いられたＴＤＤサブフレームのＧＰフィールドを、第２のワイヤレスアクセス技術のための値よりも大きい値に設定し、ベースラインワイヤレスアクセス技術用と第２のワイヤレスアクセス技術のアクセス端末用との異なる数のＧＰシンボルを通知することを備えることができる。ワイヤレスリソースのサブセットを予約することは、次いで、たとえば、ワイヤレスリソースのサブセットのためにベースラインアクセス技術のために設定された追加のＧＰフィールドシンボルを用いることによって第２のワイヤレスアクセス技術のためのこれらのアクセス端末によって無視されるＧＰフィールドシンボルを予約することを備えることができる。
【００８３】
ＰＨＩＣＨリソースグループのサブセットを予約することに関して、方法８００は、さらに、ベースラインワイヤレスアクセス技術のために構成されたＡＴに対するパフォーマンスロスを緩和することを備えることができる。パフォーマンスロスは、ベースラインワイヤレスアクセス技術のために構成されたＡＴと第２のワイヤレスアクセス技術のために構成されたＡＴとのための別個のＰＨＩＣＨリソースグループを確立すること、または予約されたＰＨＩＣＨリソースグループのサブセット以外のＰＨＩＣＨグループにマッピングされたリソースをアップリンクするためにベースラインアクセス技術のために構成されたＡＴをスケジュールすることのうちの１つによって緩和できる。言い換えれば、ベースラインワイヤレスアクセス技術のために構成されたＡＴは、第２のワイヤレスアクセス技術のために予約されたＰＨＩＣＨグループと競合しない対応するＰＨＩＣＨグループを有するリソースをアップリンクするようにスケジュールされる。これは、ＰＨＩＣＨグループ上での衝突を軽減するのに役立ち、それらの衝突に起因するパフォーマンスロスを緩和する。
【００８４】
ＣＣＥのサブセットを予約することに関して、方法８００は、さらに、ベースラインワイヤレスアクセス技術のＰＤＣＣＨ信号のために用いられるＣＣＥからワイヤレスリソースの予約されたサブセットのために用いられるＣＣＥのサブセットを分離することを備えることができる。これは、ベースラインワイヤレスアクセス技術のために構成されたＡＴへのＣＣＥのサブセットの使用を拒否することに起因するパフォーマンス緩和を軽減することもできる。代替として、方法８００は、ワイヤレスリソースのサブセットのために制御セグメント中のＰＤＣＣＨのための予約される１つまたは複数のＲＥを用いることを備えることができる。この後者の態様では、ベースラインワイヤレスアクセス技術のために構成されたアクセス端末のパフォーマンスロスを緩和することは、これらのアクセス端末のためのＰＤＣＣＨ信号電力を変更すること、またはこれらの端末のためのＰＤＣＣＨの送信のために割り当てられたＲＥの数を変更することのうちの少なくとも１つを備えることができる。
【００８５】
ＰＤＳＣＨリソースのサブセットを予約することに関して、方法８００は、さらに、ベースラインアクセス技術のために構成されたＡＴに対するパフォーマンスロスを緩和することを備えることができる。たとえば、ＰＤＳＣＨリソースのサブセットがワイヤレスネットワークのワイヤレスリソースの予約されたサブセットのために用いられる場合、リソース競合がＰＤＳＣＨ上で発生し、パフォーマンスが低下することがある。パフォーマンスロスを緩和することは、ベースラインアクセス技術のために構成されたアクセス端末の信号電力を増加することまたはレート制御を変更すること、少なくとも１つのアクセス端末の予想されるパフォーマンスロスに基づいてベースラインアクセス技術のために構成された少なくとも１つのアクセス端末のためのスケジューリング決定を行うこと、またはワイヤレスリソースのサブセットのために用いられたＰＤＳＣＨリソースのサブセットのデューティサイクルを変更することのうちの少なくとも１つを備えることができる。
【００８６】
上記に加えて、８０８において、方法８００は、ベースラインワイヤレスアクセス技術のために構成されたアクセス端末によって用いられない追加のワイヤレス信号リソースのサブセットを介して第２のワイヤレスアクセス技術の制御または基準信号のためのリソーススケジューリングを送信するためにワイヤレス送信機を用いることを備える。一例では、リソーススケジューリングを送信することは、さらに、追加のワイヤレス信号リソースのサブセットのためのＳＩＢを確立し、ＳＩＢ中にリソーススケジューリングを送信することを備える。別の例では、リソーススケジューリングを送信することは、さらに、第２のワイヤレスアクセス技術のためにワイヤレスネットワークの共通チャネルを予約し、共通チャネル上で追加のワイヤレス信号リソースのサブセットをスケジュールすること、またはベースラインワイヤレスアクセス技術によって用いられる少なくとも１つのリソースを介してリソーススケジューリングを送信することのうちの少なくとも１つを備える。少なくとも１つの他の例では、リソーススケジューリングを送信することは、さらに、ワイヤレス信号リソースから異なるワイヤレス信号サブフレーム中のワイヤレスリソースのサブセットを予約することを備える。
【００８７】
図９に、一般的な無線アクセスネットワークのための複数のワイヤレスアクセス技術を可能にするための例示的な方法９００のフローチャートを示す。９０２において、方法９００は、ベースラインワイヤレスアクセス技術のためのワイヤレスリソーススケジュールを取得することを備える。９０４において、方法９００は、ワイヤレスリソーススケジュールからベースラインアクセス技術によって用いられるリソースを識別する。さらに、９０６において、方法９００は、無線アクセスネットワークのための優勢なワイヤレス状態またはネットワーク負荷データを取得する。９０８において、方法９００はリソーススケジューリングポリシーにアクセスする。リソーススケジューリングポリシーおよび優勢なワイヤレス状態またはネットワーク負荷データを利用して、９１０において、方法９００は、本明細書で説明するように、第２のワイヤレスアクセス技術のためのワイヤレスネットワークのワイヤレスリソースのサブセットを予約する。
【００８８】
一態様によれば、ワイヤレスリソースのサブセットを予約することは、さらに、ワイヤレスリソースのサブセットを予約するためのスケジューリングパターンを動的に適応させることを備えることができる。これらの動的に適応するスケジューリングパターンは、一態様では、第２のワイヤレスアクセス技術のために構成されたアクセス端末の数に基づくことができる。別の態様では、スケジューリングパターンは、これらのアクセス端末に送信する必要のある制御情報の量に基づくことができる。さらに別の態様では、スケジューリングパターンは、制御情報の送信に使用すべき特定の制御リソースに基づくことができる。
【００８９】
さらなる態様では、方法９００は、第２のワイヤレスアクセス技術のためのリソースを予約するためにスケジューリングパターンを用いることを備えることもできる。たとえば、ワイヤレスリソースのサブセットをＮ個のサブフレームごとにスケジュールすること、第２のワイヤレスアクセス技術のために用いられるサブフレーム上の周波数帯域の様々な部分を循環すること、異なるサブフレームにわたって異なるサブバンドを循環すること、または第２のワイヤレスアクセス技術のために用いられるサブフレーム中で分散仮想リソースブロックマッピングを用いることのうちの少なくとも１つのスケジューリングパターンを用いることができる。
【００９０】
９１２において、方法９００は、１つまたは複数のＡＴのセットのパフォーマンスロスを生じることがあるリソース競合が存在するかどうかを判断する。リソース競合が存在する場合、方法９００は９１４に進み、そうでない場合、方法９００は９１８に進む。
【００９１】
９１４において、方法９００は、リソース競合によるパフォーマンスロスを緩和するための好適な調停動作を識別する。９１６において、方法９００は、識別したプロシージャを実装する。一例として、好適な調停プロシージャは、信号電力を変更すること、ベースラインワイヤレスアクセス技術のために構成されたＡＴのスケジューリングまたはレート制御、または第２のワイヤレスアクセス技術のために用いられたリソースのデューティサイクルを変更することを備えることができる。様々なリソースタイプまたはスケジューリングパターンのための（たとえば、上の方法８００において説明した）他の調停プロシージャの例は、個別にまたは好適な組合せで用いることができる。
【００９２】
９１８において、方法９００は、参照符号９１０において選択したリソースのための送信メッセージを生成する。さらに、９２０において、方法９００は、第２のワイヤレスアクセス技術のために構成されたＡＴに送信メッセージを送信する。メッセージは、専用チャネルまたはＳＩＢにわたってブロードキャストでき、あるいはそのようなＡＴの１つまたはグループにユニキャストできる。
【００９３】
図１０に、多重アクセス技術ワイヤレスネットワークに関与するための例示的な方法１０００のフローチャートを示す。１００２において、方法１０００は、第１のワイヤレスアクセス技術に向けられたリソーススケジューリングポリシーを受信するためにワイヤレス受信機を用いることを備える。さらに、１００４において、方法１０００は、第２のワイヤレスアクセス技術に向けられた補足リソーススケジューリングポリシーを取得することを備える。いくつかの態様では、補足リソーススケジューリングポリシーを取得することは、さらに、スケジューリングポリシーを指定するユニキャストメッセージを取得すること、または第２のワイヤレスアクセス技術に専用のＳＩＢまたは制御チャネル上でポリシーを受信することを備える。他の態様では、補足リソーススケジューリングポリシーを取得することは、さらに、代わりに、メモリに記憶された事前構成設定から補足リソーススケジューリングポリシーを取得することを備える。
【００９４】
１００６において、方法１０００は、補足リソーススケジューリングポリシーを分析し、補足リソーススケジューリングによって指定された第２のワイヤレスアクセス技術のための制御またはＲＳ送信を復号するために、データプロセッサを用いることを備える。少なくとも１つの態様では、この補足スケジューリングポリシーは、補足リソーススケジューリングによって指定されたリソースに少なくとも部分的に基づいて、データ送信ならびに制御またはＲＳ送信の復号を可能にすることができる。
【００９５】
１００８において、方法１０００は、ワイヤレス受信機において測定されるワイヤレス状態の推定値を生成すること、および補足リソーススケジューリングポリシーへの更新をトリガするためにサービング基地局に推定値をサブミットすることを備える。少なくとも１つの特定の態様では、１０１０において、方法１０００は、補足リソーススケジューリングポリシーへの（たとえば、複数の推定値サブミットの結果としての）定期更新またはトリガ更新を取得すること、およびそれに応じて第２のワイヤレスアクセス技術のための制御またはＲＳ送信復号を更新することを備える。この後者の態様は、随意にサブミットされたワイヤレス状態に基づいて動的および適応的リソースプロビジョニングを可能にする。１０１２において、方法１０００は、随意にさらに、データトラフィックスケジューリングと少なくとも部分的に干渉する制御またはＲＳ割当てを識別することを備える。さらに、方法１０００は、干渉によるパフォーマンスロスを緩和するために信号復号を調整することを備える。
【００９６】
図１１および図１２に、複数のワイヤレスアクセス技術をそれぞれ提供するおよび可能にするための例示的なシステム１１００および１２００のブロック図を示す。たとえば、システム１１００および１２００は、少なくとも部分的にワイヤレス通信ネットワーク内に、および／またはノード、基地局、アクセスポイント、ユーザ端末、モバイルインターフェースカードに結合されたパーソナルコンピュータなどの送信機内に常駐することができる。システム１１００および１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００９７】
システム１１００は、ワイヤレスリソーススケジュールを取得するためにデータインターフェースを用いるためのモジュール１１０２を備えることができる。モジュール１１０２は、好適なワイヤードまたはワイヤレス通信インターフェースを含むことができる、データインターフェースのためのソフトウェアまたはハードウェア制御またはドライバを備えることができる。さらに、システム１１００は、ワイヤレスリソーススケジュールからベースラインワイヤレスアクセス技術によって用いられるワイヤレス信号リソースを識別するためにデータプロセッサを用いるためのモジュール１１０４を備えることができる。少なくとも１つの態様では、システム１１００は、第２のワイヤレスアクセス技術の制御またはＲＳのためにワイヤレスネットワークのワイヤレス信号リソースのサブセットを予約するためにデータプロセッサを用いるためのモジュール１１０６を備えることができる。ワイヤレスリソースのサブセットは、いくつかの態様では、特定の（１つまたは複数の）タイプのリソース（たとえば、ＰＨＩＣＨリソース、ＣＣＥのサブセット、コントロールセグメントＲＥのサブセット、ＰＤＣＣＨリソースのサブセット、ＰＤＳＣＨリソースのサブセット、ＭＢＳＦＮサブフレームのサブセット、特殊ＴＤＤリソースなど）から選択できる。さらに、ワイヤレスリソースは、特定のリソースパターン（たとえば、Ｎ番目のサブフレームごと、分散仮想リソースブロックマッピングに従って異なるサブバンドまたはサブフレームを循環するなど）に従って予約できる。
【００９８】
上記に加えて、システム１１００は、ワイヤレス信号リソースのサブセットのサブセットにわたって第２のワイヤレスアクセス技術の制御またはＲＳのためのリソーススケジューリングを送信するためにワイヤレス送信機を用いるためのモジュール１１０８を備えることができる。詳細には、サブセットは、それらのＡＴの競合を回避するためにベースラインアクセス技術ＡＴによって用いられないリソースを含むことができる。
【００９９】
システム１２００は、第１のワイヤレスアクセス技術に向けられたリソーススケジューリングポリシーを受信するためにワイヤレス受信機を用いるためのモジュール１２０２を備えることができる。さらに、システム１２００は、第２のワイヤレスアクセス技術に向けられた補足リソーススケジューリングポリシーを取得するためのモジュール１２０４を備えることができる。上記に加えて、システム１２００は、補足リソーススケジューリングポリシーを分析し、補足リソーススケジューリングによって指定された第２のワイヤレスアクセス技術のための制御またはＲＳ送信を復号するために、データプロセッサを用いるためのモジュール１２０６を備えることができる。
【０１００】
図１３に、本明細書で開示するいくつかの態様による、ワイヤレス通信を可能にすることができる例示的なシステム１３００のブロック図を示す。ダウンリンク上で、アクセスポイント１３０５において、送信（ＴＸ）データプロセッサ１３１０は、トラフィックデータを受信、フォーマット、コーディング、インターリーブ、および変調（またはシンボルマッピング）し、変調シンボル（「データシンボル」）を供給する。シンボル変調器１３１３は、データシンボルおよびパイロットシンボルを受信し、処理し、シンボルのストリームを提供する。シンボル変調器１３２０は、データおよびパイロットシンボルを多重化し、それらを送信機ユニット（ＴＭＴＲ）１３２０に供給する。各送信シンボルは、データシンボル、パイロットシンボル、または信号値０とすることができる。パイロットシンボルは各シンボル期間中に連続的に送信できる。パイロットシンボルは、周波数分割多重（ＦＤＭ）、直交周波数分割多重（ＯＦＤＭ）、時分割多重（ＴＤＭ）、符号分割多重（ＣＤＭ）、あるいはそれらまたは同様の変調および／または送信技法の適切な組合せとすることができる。
【０１０１】
ＴＭＴＲ１３２０は、シンボルのストリームを受信し、１つまたは複数のアナログ信号に変換し、さらにアナログ信号を調整（たとえば、増幅、フィルタ処理、および周波数アップコンバート）して、ワイヤレスチャネル上での送信に好適なダウンリンク信号を生成する。次いで、ダウンリンク信号はアンテナ１３２５を介して端末に送信される。端末１３３０において、アンテナ１３３５は、ダウンリンク信号を受信し、受信信号を受信機ユニット（ＲＣＶＲ）１３４０に供給する。受信機ユニット１３４０は、受信信号を調整（たとえば、フィルタリング、増幅、周波数ダウンコンバート）し、調整された信号をデジタル化して、サンプルを得る。シンボル復調器１３４５は、受信したパイロットシンボルを復調し、チャネル推定のためにプロセッサ１３５０に供給する。シンボル復調器１３４５は、さらに、プロセッサ１３５０からダウンリンクに関する周波数応答推定値を受信し、受信データシンボルに対してデータ復調を実行して、（送信データシンボルの推定値である）データシンボル推定値を得、データシンボル推定値をＲＸデータプロセッサ１３５５に供給し、ＲＸデータプロセッサ１３５５は、データシンボル推定値を復調（すなわち、シンボルデマッピング）し、デインターリーブし、復号して、送信トラフィックデータを回復する。シンボル復調器１３４５およびＲＸデータプロセッサ１３５５による処理は、アクセスポイント１３０５における、それぞれ、シンボル変調器１３１３およびＴＸデータプロセッサ１３１０による処理と相補的である。
【０１０２】
アップリンク上で、ＴＸデータプロセッサ１３６０がトラフィックデータを処理し、データシンボルを供給する。シンボル変調器１３６５は、データシンボルを受信し、パイロットシンボルと多重化し、変調を実行し、シンボルのストリームを供給する。次いで、送信機ユニット１３７０は、シンボルのストリームを受信し処理して、アンテナ１３３５によってアクセスポイント１３０５に送信されるアップリンク信号を生成する。詳細には、アップリンク信号は、ＳＣ−ＦＤＭＡ要件に従うことができ、本明細書で説明する周波数ホッピング機構を含むことができる。
【０１０３】
アクセスポイント１３０５において、端末１３３０からのアップリンク信号がアンテナ１３２５によって受信され、受信機ユニット１３７５によって処理されて、サンプルを得る。次いで、シンボル復調器１３８０がそれらのサンプルを処理し、アップリンクに関する受信パイロットシンボルおよびデータシンボル推定値を供給する。ＲＸデータプロセッサ１３８５は、データシンボル推定値を処理して、端末１３３０によって送信されたトラフィックデータを回復する。プロセッサ１３９０は、アップリンク上の各アクティブ端末送信に関してチャネル推定を実行する。複数の端末は、パイロットサブバンドのそれらのそれぞれの割り当てられたセット上でアップリンク上でパイロットを同時に送信することができ、パイロットサブバンドセットはインタレースできる。
【０１０４】
プロセッサ１３９０および１３５０は、それぞれアクセスポイント１３０５および端末１３３０における操作を指示（たとえば、制御、調整、管理など）する。それぞれのプロセッサ１３９０および１３５０を、プログラムコードおよびデータを記憶するメモリユニット（図示せず）に結合することができる。プロセッサ１３９０および１３５０はまた、それぞれ、アップリンクとダウンリンクとに関して周波数推定値とインパルス応答推定値とを導き出すために計算を実行することができる。
【０１０５】
多元接続システム（たとえば、ＳＣ−ＦＤＭＡ、ＦＤＭＡ、ＯＦＤＭＡ、ＣＤＭＡ、ＴＤＭＡなど）の場合、複数の端末がアップリンク上で同時に送信することができる。そのようなシステムの場合、パイロットサブバンドを異なる端末の間で共有することができる。各端末のためのパイロットサブバンドが（場合によっては、帯域エッジを除いて）動作帯域全体にわたる場合、チャネル推定技術を使用することができる。そのようなパイロットサブバンド構造は、端末ごとに周波数ダイバーシティを得るために望ましいであろう。本明細書で説明する技法は、様々な手段によって実装できる。たとえば、これらの技法はハードウェア、ソフトウェア、またはそれらの組合せで実装される。ハードウェア実装の場合、それはデジタル、アナログ、デジタルとアナログの両方とすることができ、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せ内で実装できる。ソフトウェアでは、本明細書で説明する機能を実行するモジュール（たとえば、プロシージャ、関数など）によって実装することができる。ソフトウェアコードは、メモリユニットに記憶し、プロセッサ１３９０および１３５０によって実行できる。
【０１０６】
図１４は、たとえば１つまたは複数の態様とともに使用できる、複数の基地局（ＢＳ）１４１０（たとえば、ワイヤレスアクセスポイント、ワイヤレス通信デバイス）および複数の端末１４２０（たとえば、ＡＴ）をもつワイヤレス通信システム１４００を示している。ＢＳ（１４１０）は、一般に、端末と通信する固定局であり、アクセスポイント、ノードＢ、または何らかの他の用語で呼ばれることもある。各ＢＳ（１４１０）は、図１４において１４０２ａ、１４０２ｂ、および１４０２ｃと標示された３つの地理的領域として示された、特定の地理的領域またはカバレージエリアの通信カバレージを提供する。「セル」という用語は、その用語が使用されるコンテキストに応じてＢＳまたはそのカバレージエリアを指すことができる。システム容量を改善するために、ＢＳの地理的領域／カバレージエリアは、複数のより小さいエリア（たとえば、図１４のセル１４０２ａによる、３つの、より小さいエリア）１４０４ａ、１４０４ｂ、および１４０４ｃに分割できる。各より小さい範囲（１４０４ａ、１４０４ｂ、１４０４ｃ）は、それぞれの基地トランシーバサブシステム（ＢＴＳ）によってサービスできる。「セクタ」という用語は、その用語が使用されるコンテキストに応じてＢＴＳまたはそのカバレージエリアを指すことができる。セクタ化されたセルの場合、そのセルの全セクタのためのＢＴＳは、典型的には、そのセルの基地局内にコロケートされる。本明細書で説明する送信技法は、セクタ化されたセルをもつシステムならびにセクタ化されないセルをもつシステムに使用できる。簡単のために、本明細書では、別段の規定がない限り、「基地局」という用語は、セクタにサービスする固定局、ならびにセルにサービスする固定局に対して総称的に使用する。
【０１０７】
端末１４２０は、一般に、システム全体にわたって分散され、各端末１４２０は固定でも移動でもよい。端末１４２０は、移動局、ユーザ機器、ユーザデバイス、ワイヤレス通信装置、アクセス端末、ユーザ端末または何らかの他の用語で呼ばれることもある。端末１４２０は、ワイヤレスデバイス、セルラー電話、携帯情報端末（ＰＤＡ）、ワイヤレスモデムカードなどとすることができる。各端末１４２０は、任意の所与の瞬間に、ダウンリンク（たとえば、ＦＬ）およびアップリンク（たとえば、ＲＬ）上の０、１つ、または複数のＢＳ１４１０と通信することができる。ダウンリンクは、基地局から端末への通信リンクを指し、アップリンクは、端末から基地局への通信リンクを指す。
【０１０８】
集中型アーキテクチャの場合、システムコントローラ１４３０がＢＳ１４１０に結合し、ＢＳ１４１０のために調整および制御を行う。分散アーキテクチャの場合、ＢＳ１４１０は、必要に応じて（たとえば、ＢＳ１４１０を通信可能に結合する有線またはワイヤレスバックホールネットワークによって）互いに通信することができる。順方向リンク上のデータ送信は、しばしば１つのアクセスポイントから１つのアクセス端末に、順方向リンクまたは通信システムによってサポートできる最大データ転送速度で、またはその近くで行われる。順方向リンクの追加のチャネル（たとえば、制御チャネル）は、複数のアクセスポイントから１つのアクセス端末に送信できる。逆方向リンクのデータ通信は、１つのアクセス端末から１つ以上のアクセスポイントに行うことができる。
【０１０９】
図１５は、様々な態様による、計画または半計画ワイヤレス通信環境１５００の図である。システム１５００は、互いに、および／または１つまたは複数のモバイルデバイス１５０４に対して、ワイヤレス通信信号の受信、送信、中継などを行う１つまたは複数のセルおよび／またはセクタ内に１つまたは複数のＢＳ１５０２を備えることができる。図示のように、各ＢＳ１５０２は、１５０６ａ、１５０６ｂ、１５０６ｃおよび１５０６ｄと標示された４つの地理的領域として示される特定の地理的領域の通信カバレージを提供することができる。各ＢＳ１５０２は、当業者なら諒解するように、送信機チェーンと受信機チェーンとを備えることができ、送信機チェーンおよび受信機チェーンの各々は、信号の送信および受信に関連する複数のコンポーネント（たとえば、プロセッサ、変調器、マルチプレクサ、復調器、デマルチプレクサ、アンテナなど、上の図７を参照）を備えることができる。モバイルデバイス１５０４は、たとえば、セルラー電話、スマートフォン、ラップトップ、ハンドヘルド通信デバイス、ハンドヘルドコンピューティングデバイス、衛星ラジオ、全地球測位システム、ＰＤＡ、またはワイヤレス通信環境１５００上で通信するための任意の他の適切なデバイスとすることができる。システム１５００は、本明細書で説明するように、ワイヤレス通信において改善されたリソース管理を可能にするために、本明細書で説明する様々な態様とともに用いられることができる。
【０１１０】
本開示において使用する、「コンポーネント」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスまたは実行スレッド内に常駐することができ、モジュールは、１つの電子デバイス上に配置すること、または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別のコンポーネントと対話する、またはインターネットなどのネットワーク上で信号を介して他のシステムと対話する１つのコンポーネントからのデータ）を有する信号に従ってローカルプロセスまたはリモートプロセスを介して通信することができる。さらに、当業者なら諒解するように、本明細書で説明するシステムのコンポーネントまたはモジュールは、それに関して説明する様々な態様、目的、利点などを達成することができるように追加のコンポーネント／モジュール／システムによって再構成または補完でき、所与の図に記載の正確な構成に限定されない。
【０１１１】
さらに、本明細書ではユーザ機器（ＵＥ）に関する様々な態様について説明する。ＵＥは、システム、加入者ユニット、加入者局、移動局、モバイル、モバイル通信デバイス、モバイルデバイス、リモート局、リモート端末、アクセス端末（ＡＴ）、ユーザエージェント（ＵＡ）、ユーザデバイスまたはユーザ端末（ＵＥ）と呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【０１１２】
１つまたは複数の例示的な実施形態では、説明する機能は、ハードウェア、ソフトウェア、ファームウェア、ミドルウェア、マイクロコード、またはそれらの適切な組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の物理媒体とすることができる。限定ではなく例として、そのようなコンピュータ記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、スマートカード、およびフラッシュメモリデバイス（たとえば、カード、スティック、キードライブ．．．）、あるいは命令またはデータ構造の形態の所望のプログラムコードを搬送または記憶するために使用でき、コンピュータによってアクセスできる任意の他の媒体を備えることができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１３】
ハードウェア実装の場合、本明細書で開示する態様に関して説明する処理ユニットの様々な例示的な論理、論理ブロック、モジュール、および回路は、１つまたは複数のＡＳＩＣ、ＤＳＰ、ＤＳＰＤ、ＰＬＤ、ＦＰＧＡ、個別ゲートまたはトランジスタ論理、個別ハードウェアコンポーネント、汎用プロセッサ、コントローラ、マイクロコントローラ、マイクロプロセッサ、本明細書で説明する機能を実行するように設計された他の電子ユニット、またはそれらの組合せの中で実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成としても実装できる。さらに、少なくとも１つのプロセッサは、本明細書で説明するステップおよび／またはアクションの１つまたは複数を実行するように動作可能な１つまたは複数のモジュールを備えることができる。
【０１１４】
さらに、本明細書で説明する様々な態様または特徴は、標準のプログラミングおよび／またはエンジニアリング技法を使用した方法、装置、または製造品として実装できる。さらに、本明細書で開示する態様に関して説明する方法またはアルゴリズムのステップおよび／またはアクションは、直接ハードウェアで実施するか、プロセッサによって実行されるソフトウェアモジュールで実施するか、またはその２つの組合せで実施することができる。さらに、いくつかの態様では、方法またはアルゴリズムのステップまたはアクションは、コンピュータプログラム製品に組み込むことができる、機械可読媒体またはコンピュータ可読媒体上のコードまたは命令の少なくとも１つまたは任意の組合せ、あるいはそのセットとして常駐することができる。本明細書で使用する「製造品」という用語は、任意の好適なコンピュータ可読デバイスまたは媒体からアクセス可能なコンピュータプログラムを包含するものとする。
【０１１５】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段の規定がない限り、または文脈から明白でない限り、「ＸはＡまたはＢを用いる」という表現は、自然な包括的置換のいずれかを意味するものとする。すなわち、ＸがＡを用いるか、ＸがＢを用いるか、またはＸがＡとＢの両方を用いる場合、「ＸはＡまたはＢを用いる」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【０１１６】
以上の説明は、請求する主題の態様の例を含む。もちろん、請求する主題について説明する目的でコンポーネントまたは方法のあらゆる考えられる組合せについて説明することは不可能であるが、開示した主題の多数のさらなる組合せおよび置換が可能であることを、当業者なら認識できよう。したがって、開示した主題は、添付の特許請求の範囲の趣旨および範囲内に入るすべてのそのような改変形態、変更形態および変形形態を包含するものとする。さらに、「含む（include）」、「有する（has）」、「有する（having）」という用語は、そのような用語が、発明を実施するための形態または特許請求の範囲のいずれかで使用される限り、「備える（comprising）」という用語は使用すると請求項における移行語と解釈されるので、「備える（comprising）」と同様に包括的なものとする。
なお、以下に、出願当初の特許請求の範囲に記載された発明を付記する。
［Ｃ１］
ワイヤレスネットワークにおいてワイヤレスアクセス技術を統合するための方法であって、
前記ワイヤレスネットワークのワイヤレスリソースのためのワイヤレスリソーススケジュールを取得するためにデータインターフェースを用いることと、
前記ワイヤレスリソーススケジュールを分析し、ベースラインワイヤレスアクセス技術によって用いられるワイヤレス信号リソースを識別するために、データプロセッサを用いることと、
第２のワイヤレスアクセス技術の制御または基準信号のために前記ワイヤレスネットワークの前記ワイヤレスリソースのサブセットを予約するために前記データプロセッサを用いることと、
前記第２のワイヤレスアクセス技術のために構成されたアクセス端末に前記制御または基準信号のためのリソーススケジューリングを送信するためにワイヤレス送信機を用いることと、
を備える方法。
［Ｃ２］
前記ワイヤレスリソースの前記サブセットのためのシステム情報ブロック（ＳＩＢ）を確立し、前記ＳＩＢ中で前記リソーススケジューリングを送信することをさらに備える、
［Ｃ１］に記載の方法。
［Ｃ３］
前記ベースラインワイヤレスアクセス技術によって用いられる少なくとも１つのリソースにわたって前記リソーススケジューリングを送信すること、または
前記第２のワイヤレスアクセス技術のために前記ワイヤレスネットワークの共通チャネルを予約し、前記共通チャネル上で前記リソーススケジューリングを送信すること、
のうちの少なくとも１つをさらに備える、［Ｃ１］に記載の方法。
［Ｃ４］
選択された継続時間または選択された周期的継続時間の間、前記第２の前記ワイヤレスアクセス技術のために前記ワイヤレスネットワークのすべてのワイヤレス信号リソースを予約することをさらに備える、
［Ｃ１］に記載の方法。
［Ｃ５］
前記ワイヤレスネットワークによって用いられる物理ハイブリッド自動再送要求（ＨＡＲＱ）インジケータチャネル（ＰＨＩＣＨ）リソースグループのサブセット、
前記ワイヤレスネットワークによって用いられる制御チャネル要素（ＣＣＥ）のサブセット、
前記ワイヤレスネットワークによって用いられる制御セグメントリソース要素（ＲＥ）のサブセット、
前記ワイヤレスネットワークによって用いられる物理ダウンリンク共有チャネル（ＰＤＳＣＨ）リソースのサブセット、または
前記ワイヤレスネットワークによって用いられるマルチキャスト／ブロードキャスト単一周波数ネットワーク（ＭＢＳＦＮ）リソースのサブセット、
のうちの少なくとも１つを前記ワイヤレスリソースの前記サブセットのために用いることをさらに備える、
［Ｃ１］に記載の方法。
［Ｃ６］
ＰＨＩＣＨグループの前記サブセットが前記ワイヤレスリソースの前記サブセットのために用いられる場合、前記ベースラインワイヤレスアクセス技術のために構成された前記アクセス端末の対応するＰＨＩＣＨグループが前記第２のワイヤレスアクセス技術のために予約されたＰＨＩＣＨグループの前記サブセットと衝突しないように、これらのアクセス端末のアップリンク送信をマッピングすることをさらに備える、
［Ｃ５］に記載の方法。
［Ｃ７］
前記ワイヤレスリソースの前記サブセットのために用いられたＣＣＥの前記サブセットを物理ダウンリンク制御チャネル（ＰＤＣＣＨ）信号のために用いられたＣＣＥから分離することをさらに備える、
［Ｃ５］に記載の方法。
［Ｃ８］
制御セグメント中のＰＤＣＣＨのために予約された１つまたは複数のＲＥを前記ワイヤレスリソースの前記サブセットのために用いることをさらに備える、
［Ｃ５］に記載の方法。
［Ｃ９］
前記ベースラインワイヤレスアクセス技術のために構成されたアクセス端末のＰＤＣＣＨ送信が制御セグメントＲＥの前記サブセットの少なくとも１つによってパンクチャされる場合、
これらのアクセス端末のためのＰＤＣＣＨ信号電力を変更すること、
これらの端末のためのＰＤＣＣＨの送信のために割り当てられたＲＥの数を変更すること、または
これらの端末のためのＰＤＣＣＨとＣＣＥとのマッピングを最適化すること、
のうちの少なくとも１つによって、これらの端末のパフォーマンスロスを緩和することをさらに備える、
［Ｃ８］に記載の方法。
［Ｃ１０］
前記ベースラインワイヤレスアクセス技術のために構成された前記アクセス端末の信号電力を増加させるか、またはレート制御を変更すること、
前記少なくとも１つのアクセス端末の予想されるパフォーマンスロスに基づいて前記ベースラインアクセス技術のために構成された少なくとも１つのアクセス端末のためのスケジューリング決定を行うこと、または
前記ワイヤレスリソースの前記サブセットのために用いられたＰＤＳＣＨリソースの前記サブセットのデューティサイクルを変更すること、
のうちの少なくとも１つによって前記ワイヤレスリソースの前記サブセットのためにＰＤＳＣＨリソースの前記サブセットを用いる場合、前記ベースラインワイヤレスアクセス技術のために構成されたアクセス端末に対するパフォーマンスロスを緩和することをさらに備える、
［Ｃ５］に記載の方法。
［Ｃ１１］
前記ワイヤレスリソースの前記サブセットのためにＭＢＳＦＮサブフレームの非制御シンボルを予約することをさらに備える、
［Ｃ５］に記載の方法。
［Ｃ１２］
前記ワイヤレスリソースの前記サブセットのための特殊時分割複信（ＴＤＤ）サブフレームのダウンリンク部を用いること、または
前記ワイヤレスリソースの前記サブセットのための前記特殊ＴＤＤサブフレームのガード期間（ＧＰ）フィールドを用い、前記ベースラインワイヤレスアクセス技術のために構成されたアクセス端末用と前記第２のワイヤレスアクセス技術のために構成されたアクセス端末用との異なる数のＧＰシンボルを通知すること、
のうちの少なくとも１つをさらに備える、［Ｃ１］に記載の方法。
［Ｃ１３］
前記ベースラインワイヤレスアクセス技術のために構成されたアクセス端末によって用いられる特殊ＴＤＤサブフレームのＧＰフィールドを前記第２のワイヤレスアクセス技術のために構成された前記アクセス端末の値よりもより大きい値に設定し、前記ベースラインアクセス技術のために設定された追加のＧＰフィールドシンボルを前記ワイヤレスリソースの前記サブセットのために用いることをさらに備える、
［Ｃ１］に記載の方法。
［Ｃ１４］
Ｎを整数として、前記ワイヤレスリソースの前記サブセットをＮ個のサブフレームごとにスケジュールすること、
前記第２のワイヤレスアクセス技術のために用いられるサブフレーム上の周波数帯域の様々な部分を循環すること、
様々なサブフレームにわたって様々なサブバンドを循環することと、または
前記第２のワイヤレスアクセス技術のために用いられたサブフレーム中で分散仮想リソースブロックマッピングを用いること、
のうちの少なくとも１つの、前記ワイヤレスリソースの前記サブセットを予約するためのスケジューリングパターンを用いることをさらに備える、
［Ｃ１］に記載の方法。
［Ｃ１５］
前記第２のワイヤレスアクセス技術のために構成されたアクセス端末の数、
これらのアクセス端末に送信する必要のある制御情報の量、または
制御情報の送信に使用すべき制御リソース、
に基づいて、前記ワイヤレスリソースの前記サブセットを予約するためのスケジューリングパターンを動的に適応させることをさらに備える、
［Ｃ１］に記載の方法。
［Ｃ１６］
ワイヤレスアクセス技術を統合するための装置であって、
レガシーワイヤレスアクセス技術のために構成されたアクセス端末と高度ワイヤレスアクセス技術のために構成されたアクセス端末とへのワイヤレスアクセスを提供するように構成されたモジュールのセットを記憶するためのメモリと、
モジュールの前記セットを実行するためのデータプロセッサと、
を備え、前記セットは、
前記レガシーワイヤレスアクセス技術のためにスケジュールされたワイヤレスリソースを識別するためにワイヤレスネットワークリソーススケジューリングを分析する信号解析モジュールと、
パフォーマンスロス緩和ポリシーに従って前記高度ワイヤレスアクセス技術のための制御または基準信号（ＲＳ）リソースを割り当てる選択モジュールであって、前記ポリシーは、前記レガシーワイヤレスアクセス技術のための前記ワイヤレスネットワークリソーススケジューリングと競合しない制御またはＲＳリソースを指定するか、または前記ワイヤレスネットワークリソーススケジューリングと競合する制御または基準信号リソースのための調停プロシージャの実装を指定する、選択モジュールと、
を備える、装置。
［Ｃ１７］
前記高度ワイヤレスアクセス技術のために構成された前記アクセス端末にメッセージを送信するスケジューリングモジュールであって、前記メッセージが前記制御またはＲＳリソースのロケーションを指定する、スケジューリングモジュールをさらに備える、
［Ｃ１６］に記載の装置。
［Ｃ１８］
前記スケジューリングモジュールは、前記高度ワイヤレスアクセス技術のために構成された前記アクセス端末に専用のＳＩＢまたは共通チャネルを介して前記メッセージをブロードキャストする、
［Ｃ１７］に記載の装置。
［Ｃ１９］
前記スケジューリングモジュールは、前記高度ワイヤレスアクセス技術のために構成された前記アクセス端末のうちの１つまたは複数に前記メッセージをユニキャストする、
［Ｃ１７］に記載の装置。
［Ｃ２０］
前記選択モジュールは、前記制御またはＲＳリソースを、前記高度ワイヤレスアクセス技術のために予約されたＰＨＩＣＨリソースグループに割り当てる、
［Ｃ１６］に記載の装置。
［Ｃ２１］
前記調停プロシージャは、前記高度ワイヤレスアクセス技術のために予約された前記ＰＨＩＣＨリソースグループ以外のＰＨＩＣＨリソースグループのセットに対応するリソースをアップリンクするために、前記レガシーワイヤレスアクセス技術のために構成されたアクセス端末をマッピングすることを備える、
［Ｃ２０］に記載の装置。
［Ｃ２２］
前記選択モジュールは、前記制御またはＲＳリソースを、
前記レガシーワイヤレスアクセス技術のＰＤＣＣＨ送信のために定義されたＣＣＥのサブセット、または
ＲＳ、ＰＨＩＣＨまたは物理制御フォーマットインジケータチャネル（ＰＣＦＩＣＨ）送信のために前記レガシーワイヤレスアクセス技術によって用いられない制御セグメントＲＥ、
のうちの少なくとも１つに割り当てる、［Ｃ１６］に記載の装置。
［Ｃ２３］
前記調停プロシージャは、前記レガシーワイヤレスアクセス技術のために構成されたアクセス端末のパフォーマンスロスを緩和するために、これらの端末の送信電力を増加させるか、またはこれらの端末のＰＤＣＣＨ送信のために割り当てられるＲＥの数を変更する、
［Ｃ２２］に記載の装置。
［Ｃ２４］
前記選択モジュールは、前記制御またはＲＳリソースを、前記レガシーワイヤレスアクセス技術のためのデータ割当てと少なくとも部分的に競合する制御ＰＤＳＣＨ  ＲＥに割り当てること、または
前記選択モジュールは、前記制御またはＲＳリソースを、前記高度ワイヤレスアクセス技術のために予約された制御ＰＤＳＣＨ  ＲＥに割り当てることであって、さらに、これらの制御ＰＤＳＣＨ  ＲＥを、前記高度ワイヤレスアクセス技術のために構成された前記アクセス端末のデータ送信のために少なくとも部分的に利用できる割り当てること、
のうちの少なくとも１つを行う、［Ｃ１６］に記載の装置。
［Ｃ２５］
前記レガシーワイヤレスアクセス技術のために構成された前記アクセス端末に対するパフォーマンスロスを緩和するために、
これらのアクセス端末の信号電力を増加させるか、またはレート制御を変更すること、
これらのアクセス端末のうちの少なくとも１つに予想されるパフォーマンスロスに基づいて前記これらのアクセス端末のうちの少なくとも１つのためのスケジューリング決定を行うこと、または
前記ワイヤレスリソースの前記サブセットのために用いられたＰＤＳＣＨリソースの前記サブセットのデューティサイクルを変更すること、
のうちの少なくとも１つの行為を実装する補償モジュールをさらに備える、
［Ｃ２４］に記載の装置。
［Ｃ２６］
前記選択モジュールは、前記制御またはＲＳリソースをＭＢＳＦＮサブフレームの非制御シンボルに割り当てる、
［Ｃ１６］に記載の装置。
［Ｃ２７］
前記選択モジュールは、前記制御またはＲＳリソースを、
特殊ＴＤＤサブフレームのダウンリンク部、
前記レガシーワイヤレスアクセス技術のために構成された前記アクセス端末によって無視される前記特殊ＴＤＤサブフレームのＧＰフィールドシンボル、または
前記レガシーワイヤレスアクセス技術のためにスケジュールされた前記特殊ＴＤＤサブフレームの追加のＧＰフィールドシンボル、
のうちの少なくとも１つに割り当てる、［Ｃ１６］に記載の装置。
［Ｃ２８］
ネットワーク負荷または優勢なワイヤレス状態に基づいて前記制御またはＲＳリソースの割当てを動的に変更する適応モジュールをさらに備える、
［Ｃ１６］に記載の装置。
［Ｃ２９］
前記ネットワーク負荷は、前記装置によってサービスされるアクセス端末の数または前記高度ワイヤレスアクセス技術のために構成された前記アクセス端末に送信すべき制御情報の量を備える、または
前記優勢なワイヤレス状態は、前記レガシーワイヤレスアクセス技術のために構成された前記アクセス端末または前記高度ワイヤレスアクセス技術のために構成された前記アクセス端末よってサブミットされるチャネルパフォーマンス推定値を含む、
［Ｃ２８］に記載の装置。
［Ｃ３０］
前記パフォーマンスロス緩和ポリシーは、
Ｎ個のサブフレームごとに前記制御またはＲＳリソースを予約することと、
前記制御またはＲＳリソースの予約を周波数帯域の様々な部分に循環させることと、
前記制御またはＲＳリソースの予約を様々なサブフレームにわたって様々なサブバンドに循環させることと、または
前記制御またはＲＳリソースのために用いられたサブフレーム中で分散仮想リソースブロックマッピングを用いることと、
のうちの少なくとも１つを備える適応的リソース割当てパターンを指定する、
［Ｃ１６］に記載の装置。
［Ｃ３１］
複数のワイヤレスアクセス技術のためのワイヤレス通信を可能にする装置であって、
ワイヤレスネットワークのワイヤレスリソースのためのワイヤレスリソーススケジュールを取得するためにデータインターフェースを用いるための手段と、
前記ワイヤレスリソーススケジュールからベースラインワイヤレスアクセス技術によって用いられるワイヤレス信号リソースを識別するためにデータプロセッサを用いるための手段と、
第２のワイヤレスアクセス技術の制御または基準信号のために前記ワイヤレスネットワークの前記ワイヤレスリソースのサブセットを予約するために前記データプロセッサを用いるための手段と、
前記第２のワイヤレスアクセス技術のために構成されたアクセス端末に前記制御または基準信号のためのリソーススケジューリングを送信するためにワイヤレス送信機を用いるための手段と、
を備える、装置。
［Ｃ３２］
複数のワイヤレスアクセス技術のためのワイヤレス通信を可能にするように構成された少なくとも１つのプロセッサであって、
ベースラインワイヤレスアクセス技術によって用いられるワイヤレスネットワークのワイヤレス信号リソースを識別する第１のモジュールと、
第２のワイヤレスアクセス技術の制御または基準信号のために前記ワイヤレス信号リソースのサブセットを予約する第２のモジュールと、
前記第２のワイヤレスアクセス技術のために構成されたアクセス端末に前記制御または基準信号のためのリソーススケジューリングを送信する第３のモジュールと、
を備える、少なくとも１つのプロセッサ。
［Ｃ３３］
コンピュータに、ベースラインワイヤレスアクセス技術によって用いられるワイヤレスネットワークのワイヤレス信号リソースを識別させるためのコードの第１のセットと、
前記コンピュータに、第２のワイヤレスアクセス技術の制御または基準信号のために前記ワイヤレス信号リソースのサブセットを予約させるためのコードの第２のセットと、
前記コンピュータに、前記第２のワイヤレスアクセス技術のために構成されたアクセス端末に前記制御または基準信号のためのリソーススケジューリングを送信させるためのコードの第３のセットと、
を備えるコンピュータ可読媒体、
を備えるコンピュータプログラム製品。
［Ｃ３４］
第１のワイヤレスアクセス技術に向けられたリソーススケジューリングポリシーを受信するためにワイヤレス受信機を用いることと、
第２のワイヤレスアクセス技術に向けられた補足リソーススケジューリングポリシーを取得することと、
前記補足リソーススケジューリングポリシーを分析し、前記補足リソーススケジューリングポリシーによって指定された前記第２のワイヤレスアクセス技術のための制御またはＲＳ送信を復号するためにデータプロセッサを用いることと、
を備える、ワイヤレス通信の方法。
［Ｃ３５］
前記捕捉リソーススケジューリングポリシーをユニキャストメッセージ中でまたは前記第２のワイヤレスアクセス技術に専用のＳＩＢまたは制御チャネル上で取得することをさらに備える、
［Ｃ３４］に記載の方法。
［Ｃ３６］
前記捕捉リソーススケジューリングポリシーをメモリに記憶された事前構成設定から取得することをさらに備える、
［Ｃ３４］に記載の方法。
［Ｃ３７］
前記補足リソーススケジューリングポリシーへの定期更新またはトリガ更新を取得し、それに応じて前記第２のワイヤレスアクセス技術のための制御またはＲＳ送信復号を更新することをさらに備える、
［Ｃ３４］に記載の方法。
［Ｃ３８］
前記ワイヤレス受信機において測定されるワイヤレス状態の推定値を生成し、前記補足リソーススケジューリングポリシーへの更新をトリガするためにサービング基地局に前記推定値をサブミットすることをさらに備える、
［Ｃ３４］に記載の方法。
［Ｃ３９］
前記補足スケジューリングポリシーによって指定されたリソースに少なくとも部分的に基づいてデータ送信を復号することをさらに備える、
［Ｃ３４］に記載の方法。
［Ｃ４０］
データトラフィックスケジューリングと少なくとも部分的に干渉する制御またはＲＳ割当てを識別し、パフォーマンスロスを緩和するために信号復号を調整することをさらに備える、
［Ｃ３４］に記載の方法。
［Ｃ４１］
Ｌｏｎｇ  Ｔｅｒｍ  Ｅｖｏｌｕｔｉｏｎ（ＬＴＥ）アクセス技術とＡｄｖａｎｃｅｄ  Ｌｏｎｇ  Ｔｅｒｍ  Ｅｖｏｌｕｔｉｏｎ（ＬＴＥ−Ａ）アクセス技術とをサポートするワイヤレスネットワークにおいて前記ＬＴＥ−Ａアクセス技術を用いる装置であって、
前記ＬＴＥアクセス技術のためのスケジューリングポリシーを取得して、復号するワイヤレス受信機と、
前記ワイヤレスネットワークの前記ＬＴＥ−Ａアクセス技術を用いるように構成されたモジュールのセットを記憶するメモリと、
モジュールの前記セットを実行するためのデータプロセッサと、
を備え、前記セットは、
前記ワイヤレスネットワークによって提供されたスケジューリングメッセージからＬＴＥ−Ａスケジューリングポリシーを抽出する解析モジュールと、
前記ＬＴＥ−Ａスケジューリングポリシーを調査し、本装置に関係するＬＴＥ−Ａトラフィックのためのリソーススケジューリングを識別する分析モジュールと、
を備える、装置。
［Ｃ４２］
前記解析モジュールは、前記ワイヤレスネットワークによって前記装置に送信されるユニキャストメッセージ中でまたはＬＴＥ−Ａに専用のＳＩＢまたは制御チャネル上で前記スケジューリングメッセージを取得する、
［Ｃ４１］に記載の装置。
［Ｃ４３］
前記解析モジュールは、前記ＬＴＥ−Ａスケジューリングポリシーを事前構成メモリ設定から取得する、
［Ｃ４１］に記載の装置。
［Ｃ４４］
前記解析モジュールは、現在のネットワーク負荷または優勢なワイヤレス状態に基づいて前記ＬＴＥ−Ａスケジューリングポリシーに対する定期更新またはトリガ更新をさらに取得し、さらに、前記データプロセッサは、前記ＬＴＥ−Ａスケジューリングポリシーを更新する、
［Ｃ４１］に記載の装置。
［Ｃ４５］
前記ＬＴＥ−Ａスケジューリングポリシーは、
Ｎ個ごとのサブフレーム、
ＬＴＥ−Ａ送信を含む様々な信号サブフレーム中の一連の様々な周波数サブバンド、
周波数サブバンドの一連の様々な部分、または
ＬＴＥ−Ａ送信を含む前記様々な信号サブフレームのうちの少なくとも１つの中の分散仮想リソースブロック、
のうちの少なくとも１つへのＬＴＥ−Ａ制御またはＲＳリソースの割当てを含む、
［Ｃ４１］に記載の装置。
［Ｃ４６］
前記ワイヤレス受信機におけるワイヤレス状態を推定し、動的および適応的なＬＴＥ−Ａスケジューリングを可能にするために前記ワイヤレスネットワークにワイヤレス状態推定値をサブミットするサンプリングモジュールをさらに備える、
［Ｃ４１］に記載の装置。
［Ｃ４７］
前記装置に関係するデータトラフィックと少なくとも部分的に干渉するＬＴＥ−Ａ制御またはＲＳ送信を識別し、パフォーマンスロスを緩和するために信号復号を調整する補償モジュールをさらに備える、
［Ｃ４１］に記載の装置。
［Ｃ４８］
ワイヤレス通信のために構成された装置であって、
第１のワイヤレスアクセス技術に向けられたリソーススケジューリングポリシーを受信するためにワイヤレス受信機を用いるための手段と、
第２のワイヤレスアクセス技術に向けられた補足リソーススケジューリングポリシーを取得するための手段と、
前記補足リソーススケジューリングポリシーを分析し、前記補足リソーススケジューリングポリシーによって指定された前記第２のワイヤレスアクセス技術のための制御またはＲＳ送信を復号するためにデータプロセッサを用いるための手段と、
を備える、装置。
［Ｃ４９］
ワイヤレス通信のために構成された少なくとも１つのプロセッサであって、
第１のワイヤレスアクセス技術に向けられたリソーススケジューリングポリシーを受信する第１のモジュールと、
第２のワイヤレスアクセス技術に向けられた補足リソーススケジューリングポリシーを取得する第２のモジュールと、
前記補足リソーススケジューリングポリシーを分析し、前記補足リソーススケジューリングポリシーによって指定された前記第２のワイヤレスアクセス技術のための制御またはＲＳ送信を復号する第３のモジュールと、
を備える、少なくとも１つのプロセッサ。
［Ｃ５０］
コンピュータに、第１のワイヤレスアクセス技術に向けられたリソーススケジューリングポリシーを受信させるためのコードの第１のセットと、
前記コンピュータに、第２のワイヤレスアクセス技術に向けられた補足リソーススケジューリングポリシーを取得させるためのコードの第２のセットと、
前記コンピュータに、前記補足リソーススケジューリングポリシーを分析させ、前記補足リソーススケジューリングポリシーによって指定された前記第２のワイヤレスアクセス技術のための制御またはＲＳ送信を復号させるためのコードの第３のセットと、
を備えるコンピュータ可読媒体
を備えるコンピュータプログラム製品。
【図１】
0005646672.tif 000002
【図２】
0005646672.tif 000003
【図３】
0005646672.tif 000004
【図４】
0005646672.tif 000005
【図５】
0005646672.tif 000006
【図６】
0005646672.tif 000007
【図７】
0005646672.tif 000008
【図８】
0005646672.tif 000009
【図９】
0005646672.tif 000010
【図１０】
0005646672.tif 000011
【図１１】
0005646672.tif 000012
【図１２】
0005646672.tif 000013
【図１３】
0005646672.tif 000014
【図１４】
0005646672.tif 000015
【図１５】
0005646672.tif 000016